(57)【要約】【課題】ユーザから送信された災害に関する情報のうち、信頼性の高い情報のみをユーザに提供することができなかった。【解決手段】災害の発生に伴う状況を示す１以上の災害関連情報を受信し、当該１以上の各災害関連情報を用いて、当該１以上の各災害関連情報のスコアを算出し、当該スコアが予め決められた条件を満たすほど高い災害関連情報以外の災害関連情報を削除する地域サーバ装置と、受け付けた災害関連情報を地域サーバ装置に送信し、地域サーバ装置に残された信頼性の高い１以上の災害関連情報を受信し、当該１以上の災害関連情報を出力する端末装置を備える災害時情報システムにより、ユーザから送信された災害に関する情報のうち、信頼性の高い情報のみをユーザに提供することができる。【選択図】図１
2014170434.tif 000002
【特許請求の範囲】
【請求項１】
地域サーバ装置と、２以上の端末装置とを備える災害時情報システムであって、
前記地域サーバ装置は、
災害の発生に伴う状況を示す情報である１以上の災害関連情報が格納される地域サーバ格納部と、
災害関連情報と、災害関連情報を要求する指示である災害関連情報要求指示とを、前記２以上の端末装置から受信する地域サーバ受信部と、
前記地域サーバ受信部が災害関連情報を受信した場合に、当該災害関連情報を、前記地域サーバ格納部に蓄積する地域サーバ蓄積部と、
前記地域サーバ受信部が災害関連情報要求指示を受信した場合に、当該災害関連情報要求指示に対応する１以上の災害関連情報を、前記地域サーバ格納部から取得する地域サーバ取得部と、
前記地域サーバ取得部が取得した１以上の災害関連情報を、前記災害関連情報要求指示を送信した端末装置に送信する地域サーバ送信部と、
前記地域サーバ格納部に格納されている１以上の災害関連情報を用いて、当該１以上の各災害関連情報の信頼性を示すスコアを算出する地域サーバスコア算出部と、
前記地域サーバスコア算出部が算出したスコアが予め決められた条件を満たすほど高い災害関連情報以外の災害関連情報を、前記地域サーバ格納部から削除する地域サーバ削除部とを備え、
前記端末装置は、
前記地域サーバ装置との通信が可能であるか否かを判断する端末通信可否判断部と、
災害関連情報と、災害関連情報を要求する指示である災害関連情報要求指示とを受け付ける端末受付部と、
前記端末通信可否判断部が通信可能であると判断した場合において、前記端末受付部が災害関連情報を受け付けた場合は、当該災害関連情報を、前記地域サーバ装置に送信し、前記端末受付部が災害関連情報要求指示を受け付けた場合は、当該災害関連情報要求指示を、前記地域サーバ装置に送信する端末送信部と、
前記災害関連情報要求指示の送信に応じて、１以上の災害関連情報を、前記地域サーバ装置から受信する端末受信部と、
前記端末受信部が受信した１以上の災害関連情報を出力する端末出力部とを備える災害時情報システム。
【請求項２】
前記端末受付部は、
前記災害関連情報に対する第三者からの評価を示す評価情報であり、当該災害関連情報を識別する災害関連情報識別子が対応付いた評価情報を受け付け、
前記端末送信部は、
前記端末受付部が受け付けた評価情報を、当該評価情報に対応付いている災害関連情報識別子と共に、前記地域サーバ装置に送信し、
前記地域サーバ受信部は、
災害関連情報識別子が対応付いた評価情報をも受信し、
前記地域サーバ蓄積部は、
前記地域サーバ受信部が受信した評価情報を、当該評価情報に対応付いている災害関連情報識別子により識別される災害関連情報に対応付けて、前記地域サーバ格納部に蓄積し、
前記地域サーバスコア算出部は、
前記地域サーバ格納部に格納されている１以上の各災害関連情報について、当該各災害関連情報に対応付いている評価情報を用いて第一のスコアを算出し、
前記地域サーバ削除部は、
前記地域サーバスコア算出部が算出した第一のスコアが予め決められた条件を満たすほど高い災害関連情報以外の災害関連情報を、前記地域サーバ格納部から削除する請求項１記載の災害時情報システム。
【請求項３】
前記地域サーバスコア算出部は、
前記地域サーバ格納部に２以上の災害関連情報が格納されている場合に、当該２以上の各災害関連情報について、他の１以上の災害関連情報と比較し、類似するか否かを判断し、当該類似するか否かの判断の結果を用いて第二のスコアを算出し、
前記地域サーバ削除部は、
前記地域サーバスコア算出部が算出した第二のスコアが予め決められた条件を満たすほど高い災害関連情報以外の災害関連情報を、前記地域サーバ格納部から削除する請求項１記載の災害時情報システム。
【請求項４】
前記地域サーバ格納部に格納されている災害関連情報は、災害関連情報に対する補助的な情報である補助情報を有しており、
前記地域サーバスコア算出部は、
前記地域サーバ格納部に格納されている１以上の各災害関連情報について、当該各災害関連情報が有する補助情報を用いて第三のスコアを算出し、
前記地域サーバ削除部は、
前記地域サーバスコア算出部が算出した第三のスコアが予め決められた条件を満たすほど高い災害関連情報以外の災害関連情報を、前記地域サーバ格納部から削除する請求項１記載の災害時情報システム。
【請求項５】
前記地域サーバスコア算出部は、
前記地域サーバ格納部に格納されている１以上の各災害関連情報について、前記第一のスコア、前記第二のスコア、前記第三のスコアのうちのいずれか２種類以上のスコアを算出し、当該２種類以上のスコアを用いて第四のスコアを算出し、
前記地域サーバ削除部は、
前記地域サーバスコア算出部が算出した第四のスコアが予め決められた条件を満たすほど高い災害関連情報以外の災害関連情報を、前記地域サーバ格納部から削除する請求項１から請求項４いずれか一項に記載の災害時情報システム。
【請求項６】
基幹サーバ装置と、２以上の前記サーバ装置と、１以上の前記端末装置とを備える災害時情報システムであって、
前記基幹サーバ装置は、
１以上の災害関連情報が格納される基幹サーバ格納部と、
災害関連情報を、前記２以上の地域サーバ装置から受信し、災害関連情報要求指示を、前記１以上の端末装置から受信する基幹サーバ受信部と、
前記基幹サーバ受信部が災害関連情報を受信した場合に、当該災害関連情報を、前記基幹サーバ格納部に蓄積する基幹サーバ蓄積部と、
前記基幹サーバ受信部が災害関連情報要求指示を受信した場合に、当該災害関連情報要求指示に対応する１以上の災害関連情報を、前記基幹サーバ格納部から取得する基幹サーバ取得部と、
前記基幹サーバ取得部が取得した１以上の災害関連情報を、前記災害関連情報要求指示を送信した端末装置に送信する基幹サーバ送信部と、
前記基幹サーバ格納部に格納されている１以上の災害関連情報を用いて、当該１以上の各災害関連情報の信頼性を示すスコアを算出する基幹サーバスコア算出部と、
前記基幹サーバスコア算出部が算出したスコアが予め決められた条件を満たすほど高い災害関連情報以外の災害関連情報を、前記基幹サーバ格納部から削除する基幹サーバ削除部とを備え、
前記地域サーバ装置は、
前記基幹サーバ装置との通信が可能であるか否かを判断する地域サーバ通信可否判断部をさらに備え、
前記地域サーバ取得部は、
前記地域サーバ通信可否判断部が通信可能であると判断した場合に、前記地域サーバ格納部に格納されている１以上の災害関連情報を取得し、
前記地域サーバ送信部は、
前記地域サーバ取得部が取得した１以上の災害関連情報を、前記基幹サーバ装置に送信し、
前記端末通信可否判断部は、
前記基幹サーバ装置との通信が可能であるか否かも判断し、
前記端末送信部は、
前記端末通信可否判断部が前記基幹サーバ装置との通信が可能であると判断した場合において、前記端末受付部が災害関連情報要求指示を受け付けた場合は、当該災害関連情報要求指示を、前記基幹サーバ装置に送信し、
前記端末受信部は、
前記災害関連情報要求指示の送信に応じて、１以上の災害関連情報を、前記基幹サーバ装置から受信する請求項１から請求項５いずれか一項に記載の災害時情報システム。
【請求項７】
前記地域サーバ格納部には、
災害関連情報に対する第三者からの評価を示す評価情報が対応付いている１以上の災害関連情報が格納されており、
前記地域サーバ取得部は、
前記地域サーバ通信可否判断部が通信可能であると判断した場合に、前記地域サーバ格納部に格納されている１以上の災害関連情報を、当該災害関連情報に対応付いている評価情報と共に取得し、
前記地域サーバ送信部は、
前記地域サーバ取得部が取得した１以上の災害関連情報を、当該災害関連情報に対応付いている評価情報と共に、前記基幹サーバ装置に送信し、
前記基幹サーバ受信部は、
評価情報が対応付いた災害関連情報を、前記２以上の地域サーバ装置から受信し、
前記基幹サーバ蓄積部は、
前記基幹サーバ受信部が受信した災害関連情報を、当該災害関連情報に対応付いている評価情報と共に、前記基幹サーバ格納部に蓄積し、
前記基幹サーバスコア算出部は、
前記基幹サーバ格納部に格納されている１以上の各災害関連情報について、当該各災害関連情報に対応付いている評価情報を用いて第一のスコアを算出し、
前記基幹サーバ削除部は、
前記基幹サーバスコア算出部が算出した第一のスコアが予め決められた条件を満たすほど高い災害関連情報以外の災害関連情報を、前記基幹サーバ格納部から削除する請求項６記載の災害時情報システム。
【請求項８】
前記基幹サーバスコア算出部は、
前記基幹サーバ格納部に２以上の災害関連情報が格納されている場合に、当該２以上の各災害関連情報について、他の１以上の災害関連情報と比較し、類似するか否かを判断し、当該類似するか否かの判断結果を用いて第二のスコアを算出し、
前記基幹サーバ削除部は、
前記基幹サーバスコア算出部が算出した第二のスコアが予め決められた条件を満たすほど高い災害関連情報以外の災害関連情報を、前記基幹サーバ格納部から削除する請求項６記載の災害時情報システム。
【請求項９】
前記基幹サーバ格納部に格納されている災害関連情報は、災害関連情報に対する補助的な情報である補助情報を有しており、
前記基幹サーバスコア算出部は、
前記基幹サーバ格納部に格納されている１以上の各災害関連情報について、当該各災害関連情報が有する補助情報を用いて第三のスコアを算出し、
前記基幹サーバ削除部は、
前記基幹サーバスコア算出部が算出した第三のスコアが予め決められた条件を満たすほど高い災害関連情報以外の災害関連情報を、前記基幹サーバ格納部から削除する請求項６記載の災害時情報システム。
【請求項１０】
前記基幹サーバスコア算出部は、
前記基幹サーバ格納部に格納されている１以上の各災害関連情報について、前記第一のスコア、前記第二のスコア、前記第三のスコアのうちのいずれか２種類以上のスコアを算出し、当該２種類以上のスコアを用いて第四のスコアを算出し、
前記基幹サーバ削除部は、
前記基幹サーバスコア算出部が算出した第四のスコアが予め決められた条件を満たすほど高い災害関連情報以外の災害関連情報を、前記基幹サーバ格納部から削除する請求項６から請求項９いずれか一項に記載の災害時情報システム。
【請求項１１】
請求項１から請求項１０いずれか一項に記載の災害時情報システムを構成する地域サーバ装置。
【請求項１２】
請求項１から請求項１０いずれか一項に記載の災害時情報システムを構成する端末装置。
【請求項１３】
請求項６から請求項１０いずれか一項に記載の災害時情報システムを構成する基幹サーバ装置。
【請求項１４】
災害の発生に伴う状況を示す情報である１以上の災害関連情報が格納される地域サーバ格納部と、
災害関連情報と、災害関連情報を要求する指示である災害関連情報要求指示とを、２以上の端末装置から受信する地域サーバ受信部と、
前記地域サーバ受信部が災害関連情報を受信した場合に、当該災害関連情報を、前記地域サーバ格納部に蓄積する地域サーバ蓄積部と、
前記地域サーバ受信部が災害関連情報要求指示を受信した場合に、当該災害関連情報要求指示に対応する１以上の災害関連情報を、前記地域サーバ格納部から取得する地域サーバ取得部と、
前記地域サーバ取得部が取得した１以上の災害関連情報を、前記災害関連情報要求指示を送信した端末装置に送信する地域サーバ送信部と、
前記地域サーバ格納部に格納されている１以上の災害関連情報を用いて、当該１以上の各災害関連情報の信頼性を示すスコアを算出する地域サーバスコア算出部と、
前記地域サーバスコア算出部が算出したスコアが予め決められた条件を満たすほど高い災害関連情報以外の災害関連情報を、前記地域サーバ格納部から削除する地域サーバ削除部とを備える地域サーバ装置。
【請求項１５】
地域サーバ装置との通信が可能であるか否かを判断する端末通信可否判断部と、
災害関連情報と、災害関連情報を要求する指示である災害関連情報要求指示とを受け付ける端末受付部と、
前記端末通信可否判断部が通信可能であると判断した場合において、前記端末受付部が災害関連情報を受け付けた場合は、当該災害関連情報を、地域サーバ装置に送信し、前記端末受付部が災害関連情報要求指示を受け付けた場合は、当該災害関連情報要求指示を、地域サーバ装置に送信する端末送信部と、
前記災害関連情報要求指示の送信に応じて、１以上の災害関連情報を、地域サーバ装置から受信する端末受信部と、
前記端末受信部が受信した１以上の災害関連情報を出力する端末出力部とを備える端末装置。
【請求項１６】
災害の発生に伴う状況を示す情報である１以上の災害関連情報が格納される基幹サーバ格納部と、
災害関連情報を、２以上の地域サーバ装置から受信し、災害関連情報要求指示を、１以上の端末装置から受信する基幹サーバ受信部と、
前記基幹サーバ受信部が災害関連情報を受信した場合に、当該災害関連情報を、前記基幹サーバ格納部に蓄積する基幹サーバ蓄積部と、
前記基幹サーバ受信部が災害関連情報要求指示を受信した場合に、当該災害関連情報要求指示に対応する１以上の災害関連情報を、前記基幹サーバ格納部から取得する基幹サーバ取得部と、
前記基幹サーバ取得部が取得した１以上の災害関連情報を、前記災害関連情報要求指示を送信した端末装置に送信する基幹サーバ送信部と、
前記基幹サーバ格納部に格納されている１以上の災害関連情報を用いて、当該１以上の各災害関連情報の信頼性を示すスコアを算出する基幹サーバスコア算出部と、
前記基幹サーバスコア算出部が算出したスコアが予め決められた条件を満たすほど高い災害関連情報以外の災害関連情報を、前記基幹サーバ格納部から削除する基幹サーバ削除部とを備える基幹サーバ装置。
【請求項１７】
災害の発生に伴う状況を示す情報である１以上の災害関連情報が格納される地域サーバ格納部にアクセス可能なコンピュータを、
災害関連情報と、災害関連情報を要求する指示である災害関連情報要求指示とを、２以上の端末装置から受信する地域サーバ受信部と、
前記地域サーバ受信部が災害関連情報を受信した場合に、当該災害関連情報を、前記地域サーバ格納部に蓄積する地域サーバ蓄積部と、
前記地域サーバ受信部が災害関連情報要求指示を受信した場合に、当該災害関連情報要求指示に対応する１以上の災害関連情報を、前記地域サーバ格納部から取得する地域サーバ取得部と、
前記地域サーバ取得部が取得した１以上の災害関連情報を、前記災害関連情報要求指示を送信した端末装置に送信する地域サーバ送信部と、
前記地域サーバ格納部に格納されている１以上の災害関連情報を用いて、当該１以上の各災害関連情報の信頼性を示すスコアを算出する地域サーバスコア算出部と、
前記地域サーバスコア算出部が算出したスコアが予め決められた条件を満たすほど高い災害関連情報以外の災害関連情報を、前記地域サーバ格納部から削除する地域サーバ削除部として機能させるためのプログラム。
【請求項１８】
コンピュータを、
地域サーバ装置との通信が可能であるか否かを判断する端末通信可否判断部と、
災害関連情報と、災害関連情報を要求する指示である災害関連情報要求指示とを受け付ける端末受付部と、
前記端末通信可否判断部が通信可能であると判断した場合において、前記端末受付部が災害関連情報を受け付けた場合は、当該災害関連情報を、地域サーバ装置に送信し、前記端末受付部が災害関連情報要求指示を受け付けた場合は、当該災害関連情報要求指示を、地域サーバ装置に送信する端末送信部と、
前記災害関連情報要求指示の送信に応じて、１以上の災害関連情報を、地域サーバ装置から受信する端末受信部と、
前記端末受信部が受信した１以上の災害関連情報を出力する端末出力部として機能させるためのプログラム。
【請求項１９】
災害の発生に伴う状況を示す情報である１以上の災害関連情報が格納される基幹サーバ格納部にアクセス可能なコンピュータを、
災害関連情報を、２以上の地域サーバ装置から受信し、災害関連情報要求指示を、１以上の端末装置から受信する基幹サーバ受信部と、
前記基幹サーバ受信部が災害関連情報を受信した場合に、当該災害関連情報を、前記基幹サーバ格納部に蓄積する基幹サーバ蓄積部と、
前記基幹サーバ受信部が災害関連情報要求指示を受信した場合に、当該災害関連情報要求指示に対応する１以上の災害関連情報を、前記基幹サーバ格納部から取得する基幹サーバ取得部と、
前記基幹サーバ取得部が取得した１以上の災害関連情報を、前記災害関連情報要求指示を送信した端末装置に送信する基幹サーバ送信部と、
前記基幹サーバ格納部に格納されている１以上の災害関連情報を用いて、当該１以上の各災害関連情報の信頼性を示すスコアを算出する基幹サーバスコア算出部と、
前記基幹サーバスコア算出部が算出したスコアが予め決められた条件を満たすほど高い災害関連情報以外の災害関連情報を、前記基幹サーバ格納部から削除する基幹サーバ削除部として機能させるためのプログラム。
【発明の詳細な説明】
【技術分野】
【０００１】
本発明は、災害時に、災害に関連する情報を送受信する災害時情報システム等に関するものである。
【背景技術】
【０００２】
従来、災害時における安否確認などを行うためのＷｅｂサービスがある（非特許文献１参照）。
【先行技術文献】
【非特許文献】
【０００３】
【非特許文献１】“災害用伝言板”、［online］、株式会社エヌ・ティ・ティ・ドコモ、［２０１３年２月５日検索］、インターネット［URL；http://www.nttdocomo.co.jp/info/disaster/disaster_board/］
【発明の概要】
【発明が解決しようとする課題】
【０００４】
災害の状況や、自身の安否状況、他人の安否状況など、ユーザから送信された災害に関する情報の中には、虚偽の情報や、未確認の状況に関する情報など、信頼性の低い情報が含まれる場合がある。しかしながら、従来のＷｅｂサービスでは、ユーザから送信された災害に関する情報のうち、信頼性の高い情報のみをユーザに提供することができなかった。
【課題を解決するための手段】
【０００５】
本第一の発明の災害時情報システムは、地域サーバ装置と、２以上の端末装置とを備える災害時情報システムであって、地域サーバ装置は、災害の発生に伴う状況を示す情報である１以上の災害関連情報が格納される地域サーバ格納部と、災害関連情報と、災害関連情報を要求する指示である災害関連情報要求指示とを、２以上の端末装置から受信する地域サーバ受信部と、地域サーバ受信部が災害関連情報を受信した場合に、災害関連情報を、地域サーバ格納部に蓄積する地域サーバ蓄積部と、地域サーバ受信部が災害関連情報要求指示を受信した場合に、災害関連情報要求指示に対応する１以上の災害関連情報を、地域サーバ格納部から取得する地域サーバ取得部と、地域サーバ取得部が取得した１以上の災害関連情報を、災害関連情報要求指示を送信した端末装置に送信する地域サーバ送信部と、地域サーバ格納部に格納されている１以上の災害関連情報を用いて、１以上の各災害関連情報の信頼性を示すスコアを算出する地域サーバスコア算出部と、地域サーバスコア算出部が算出したスコアが予め決められた条件を満たすほど高い災害関連情報以外の災害関連情報を、地域サーバ格納部から削除する地域サーバ削除部とを備え、端末装置は、地域サーバ装置との通信が可能であるか否かを判断する端末通信可否判断部と、災害関連情報と、災害関連情報を要求する指示である災害関連情報要求指示とを受け付ける端末受付部と、端末通信可否判断部が通信可能であると判断した場合において、端末受付部が災害関連情報を受け付けた場合は、災害関連情報を、地域サーバ装置に送信し、端末受付部が災害関連情報要求指示を受け付けた場合は、災害関連情報要求指示を、地域サーバ装置に送信する端末送信部と、災害関連情報要求指示の送信に応じて、１以上の災害関連情報を、地域サーバ装置から受信する端末受信部と、端末受信部が受信した１以上の災害関連情報を出力する端末出力部とを備える災害時情報システムである。
【０００６】
このような構成により、ユーザから送信された災害に関する情報のうち、信頼性の高い情報のみをユーザに提供することができる。
【０００７】
また、本第二の発明の災害時情報システムは、第一の発明に対して、端末受付部は、災害関連情報に対する第三者からの評価を示す評価情報であり、災害関連情報を識別する災害関連情報識別子が対応付いた評価情報を受け付け、端末送信部は、端末受付部が受け付けた評価情報を、評価情報に対応付いている災害関連情報識別子と共に、地域サーバ装置に送信し、地域サーバ受信部は、災害関連情報識別子が対応付いた評価情報をも受信し、地域サーバ蓄積部は、地域サーバ受信部が受信した評価情報を、評価情報に対応付いている災害関連情報識別子により識別される災害関連情報に対応付けて、地域サーバ格納部に蓄積し、地域サーバスコア算出部は、地域サーバ格納部に格納されている１以上の各災害関連情報について、各災害関連情報に対応付いている評価情報を用いて第一のスコアを算出し、地域サーバ削除部は、地域サーバスコア算出部が算出した第一のスコアが予め決められた条件を満たすほど高い災害関連情報以外の災害関連情報を、地域サーバ格納部から削除する災害時情報システムである。
【０００８】
このような構成により、信頼性を示すスコアを、災害に関する情報に対する第三者からの評価に基づいて算出することができる。
【０００９】
また、本第三の発明の災害時情報システムは、第一の発明に対して、地域サーバスコア算出部は、地域サーバ格納部に２以上の災害関連情報が格納されている場合に、２以上の各災害関連情報について、他の１以上の災害関連情報と比較し、類似するか否かを判断し、類似するか否かの判断の結果を用いて第二のスコアを算出し、地域サーバ削除部は、地域サーバスコア算出部が算出した第二のスコアが予め決められた条件を満たすほど高い災害関連情報以外の災害関連情報を、地域サーバ格納部から削除する災害時情報システムである。
【００１０】
このような構成により、信頼性を示すスコアを、他の災害に関する情報と類似するか否かの判断結果に基づいて算出することができる。
【００１１】
また、本第四の発明の災害時情報システムは、第一の発明に対して、地域サーバ格納部に格納されている災害関連情報は、災害関連情報に対する補助的な情報である補助情報を有しており、地域サーバスコア算出部は、地域サーバ格納部に格納されている１以上の各災害関連情報について、各災害関連情報が有する補助情報を用いて第三のスコアを算出し、地域サーバ削除部は、地域サーバスコア算出部が算出した第三のスコアが予め決められた条件を満たすほど高い災害関連情報以外の災害関連情報を、地域サーバ格納部から削除する災害時情報システムである。
【００１２】
このような構成により、信頼性を示すスコアを、災害に関する情報が有する補助的な情報に基づいて算出することができる。
【００１３】
また、本第五の発明の災害時情報システムは、第一から第四いずれか１つの発明に対して、地域サーバスコア算出部は、地域サーバ格納部に格納されている１以上の各災害関連情報について、第一のスコア、第二のスコア、第三のスコアのうちのいずれか２種類以上のスコアを算出し、２種類以上のスコアを用いて第四のスコアを算出し、地域サーバ削除部は、地域サーバスコア算出部が算出した第四のスコアが予め決められた条件を満たすほど高い災害関連情報以外の災害関連情報を、地域サーバ格納部から削除する災害時情報システムである。
【００１４】
このような構成により、２種類以上のスコアを用いて、より精度の高いスコアを算出することができる。
【００１５】
また、本第六の発明の災害時情報システムは、第一から第五いずれか１つの発明に対して、基幹サーバ装置と、２以上のサーバ装置と、１以上の端末装置とを備える災害時情報システムであって、基幹サーバ装置は、１以上の災害関連情報が格納される基幹サーバ格納部と、災害関連情報を、２以上の地域サーバ装置から受信し、災害関連情報要求指示を、１以上の端末装置から受信する基幹サーバ受信部と、基幹サーバ受信部が災害関連情報を受信した場合に、災害関連情報を、基幹サーバ格納部に蓄積する基幹サーバ蓄積部と、基幹サーバ受信部が災害関連情報要求指示を受信した場合に、災害関連情報要求指示に対応する１以上の災害関連情報を、基幹サーバ格納部から取得する基幹サーバ取得部と、基幹サーバ取得部が取得した１以上の災害関連情報を、災害関連情報要求指示を送信した端末装置に送信する基幹サーバ送信部と、基幹サーバ格納部に格納されている１以上の災害関連情報を用いて、１以上の各災害関連情報の信頼性を示すスコアを算出する基幹サーバスコア算出部と、基幹サーバスコア算出部が算出したスコアが予め決められた条件を満たすほど高い災害関連情報以外の災害関連情報を、基幹サーバ格納部から削除する基幹サーバ削除部とを備え、地域サーバ装置は、基幹サーバ装置との通信が可能であるか否かを判断する地域サーバ通信可否判断部をさらに備え、地域サーバ取得部は、地域サーバ通信可否判断部が通信可能であると判断した場合に、地域サーバ格納部に格納されている１以上の災害関連情報を取得し、地域サーバ送信部は、地域サーバ取得部が取得した１以上の災害関連情報を、基幹サーバ装置に送信し、端末通信可否判断部は、基幹サーバ装置との通信が可能であるか否かも判断し、端末送信部は、端末通信可否判断部が基幹サーバ装置との通信が可能であると判断した場合において、端末受付部が災害関連情報要求指示を受け付けた場合は、災害関連情報要求指示を、基幹サーバ装置に送信し、端末受信部は、災害関連情報要求指示の送信に応じて、１以上の災害関連情報を、基幹サーバ装置から受信する災害時情報システムである。
【００１６】
このような構成により、ユーザから送信された災害に関する情報のうち、信頼性の高い情報のみをユーザに提供することができる。
【００１７】
また、本第七の発明の災害時情報システムは、第六の発明に対して、地域サーバ格納部には、災害関連情報に対する第三者からの評価を示す評価情報が対応付いている１以上の災害関連情報が格納されており、地域サーバ取得部は、地域サーバ通信可否判断部が通信可能であると判断した場合に、地域サーバ格納部に格納されている１以上の災害関連情報を、災害関連情報に対応付いている評価情報と共に取得し、地域サーバ送信部は、地域サーバ取得部が取得した１以上の災害関連情報を、災害関連情報に対応付いている評価情報と共に、基幹サーバ装置に送信し、基幹サーバ受信部は、評価情報が対応付いた災害関連情報を、２以上の地域サーバ装置から受信し、基幹サーバ蓄積部は、基幹サーバ受信部が受信した災害関連情報を、災害関連情報に対応付いている評価情報と共に、基幹サーバ格納部に蓄積し、基幹サーバスコア算出部は、基幹サーバ格納部に格納されている１以上の各災害関連情報について、各災害関連情報に対応付いている評価情報を用いて第一のスコアを算出し、基幹サーバ削除部は、基幹サーバスコア算出部が算出した第一のスコアが予め決められた条件を満たすほど高い災害関連情報以外の災害関連情報を、基幹サーバ格納部から削除する災害時情報システムである。
【００１８】
このような構成により、信頼性を示すスコアを、災害に関する情報に対する第三者からの評価に基づいて算出することができる。
【００１９】
また、本第八の発明の災害時情報システムは、第六の発明に対して、基幹サーバスコア算出部は、基幹サーバ格納部に２以上の災害関連情報が格納されている場合に、２以上の各災害関連情報について、他の１以上の災害関連情報と比較し、類似するか否かを判断し、類似するか否かの判断結果を用いて第二のスコアを算出し、基幹サーバ削除部は、基幹サーバスコア算出部が算出した第二のスコアが予め決められた条件を満たすほど高い災害関連情報以外の災害関連情報を、基幹サーバ格納部から削除する災害時情報システムである。
【００２０】
このような構成により、信頼性を示すスコアを、他の災害に関する情報と類似するか否かの判断結果に基づいて算出することができる。
【００２１】
また、本第九の発明の災害時情報システムは、第六の発明に対して、基幹サーバ格納部に格納されている災害関連情報は、災害関連情報に対する補助的な情報である補助情報を有しており、基幹サーバスコア算出部は、基幹サーバ格納部に格納されている１以上の各災害関連情報について、各災害関連情報が有する補助情報を用いて第三のスコアを算出し、基幹サーバ削除部は、基幹サーバスコア算出部が算出した第三のスコアが予め決められた条件を満たすほど高い災害関連情報以外の災害関連情報を、基幹サーバ格納部から削除する災害時情報システムである。
【００２２】
このような構成により、信頼性を示すスコアを、災害に関する情報が有する補助的な情報に基づいて算出することができる。
【００２３】
また、本第十の発明の災害時情報システムは、第六から第九いずれか１つの発明に対して、基幹サーバスコア算出部は、基幹サーバ格納部に格納されている１以上の各災害関連情報について、第一のスコア、第二のスコア、第三のスコアのうちのいずれか２種類以上のスコアを算出し、２種類以上のスコアを用いて第四のスコアを算出し、基幹サーバ削除部は、基幹サーバスコア算出部が算出した第四のスコアが予め決められた条件を満たすほど高い災害関連情報以外の災害関連情報を、基幹サーバ格納部から削除する災害時情報システムである。
【００２４】
このような構成により、２種類以上のスコアを用いて、より精度の高いスコアを算出することができる。
【発明の効果】
【００２５】
本発明による災害時情報システム等によれば、ユーザから送信された災害に関する情報のうち、信頼性の高い情報のみをユーザに提供することができる。
【図面の簡単な説明】
【００２６】
【図１】実施の形態１における災害時情報システム１の概念図
【図２】同端末装置１１、地域サーバ装置１２、基幹サーバ装置１３のブロック図
【図３】同端末装置１１の全体動作について説明するフローチャート
【図４】同地域サーバ装置１２の全体動作について説明するフローチャート
【図５】同災害関連情報の削除処理について説明するフローチャート
【図６】同第一のスコアの算出処理について説明するフローチャート
【図７】同第二のスコアの算出処理について説明するフローチャート
【図８】同第三のスコアの算出処理について説明するフローチャート
【図９】同基幹サーバ装置１３の全体動作について説明するフローチャート
【図１０】同災害関連情報の例を示す図
【図１１】同災害関連情報の出力例を示す図
【図１２】同評価情報の例を示す図
【図１３】同第一のスコアの例を示す図
【図１４】同補正後の第一のスコアの例を示す図
【図１５】同連続類似数の例を示す図
【図１６】同第二のスコアの例を示す図
【図１７】同補正後の第二のスコアの例を示す図
【図１８】同判断結果情報の例を示す図
【図１９】同第三のスコアの例を示す図
【図２０】同補正後の第三のスコアの例を示す図
【図２１】同第四のスコアの例を示す図
【図２２】同災害関連情報の削除の例を示す図
【図２３】同災害関連情報の例を示す図
【図２４】同第二のスコアの算出処理について説明するフローチャート
【図２５】上記実施の形態におけるコンピュータシステムの概観図
【図２６】上記実施の形態におけるコンピュータシステムのブロック図
【発明を実施するための形態】
【００２７】
以下、本発明による災害時情報システム等の実施形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００２８】
（実施の形態１）
本実施の形態において、災害に関連する情報を、２以上の端末装置と地域サーバ装置との間、および２以上の地域サーバ装置と基幹サーバ装置との間で送受信し、地域サーバ装置、および基幹サーバ装置において、受信した災害に関連する情報のうち、信頼性の低い情報を削除し、信頼性の高い情報のみを残す災害時情報システム１について説明する。
【００２９】
図１は、本実施の形態における災害時情報システム１の概念図である。図１において、地域サーバ装置１２と２以上の端末装置１１とは、ネットワーク５１を介して接続されている。また、基幹サーバ装置１３と２以上の地域サーバ装置１２とは、ネットワーク５２を介して接続されている。端末装置１１は、例えば、文字の入力や、音声の録音、映像の撮影などが行える携帯端末である。携帯端末は、例えば、いわゆるスマートフォンやフィーチャーフォンなどの携帯電話や、タブレット型のパソコン、ＰＤＡ、携帯型のゲーム機などである。また、地域サーバ装置１２は、通常、無線ＬＡＮのアクセスポイントなどを備えており、端末装置１１は、当該アクセスポイントに接続することで、地域サーバ装置１２との通信を行う。また、ネットワーク５１は、通常、無線ＬＡＮなどの無線通信回線である。また、ネットワーク５１は、通常、近距離の無線通信回線である。また、ネットワーク５２は、通常、インターネットなどのいわゆるインフラ回線である。
【００３０】
また、本実施の形態において、地域サーバ装置１２と、２以上の端末装置１１とは、災害時など、ネットワーク５２が利用できない状況下においては、通常、ネットワーク５１を介して、災害に関連する情報の送受信を行う。その後、ネットワーク５２が利用できる状況になれば、基幹サーバ装置１３は、２以上の地域サーバ装置１２が保持している災害に関連する情報を、当該２以上の地域サーバ装置１２から収集する。また、このとき、２以上の地域サーバ装置１２は、例えば、当該２以上の地域サーバ装置１２間で、災害に関連する情報の送受信を行ってもよい。
【００３１】
図２は、本実施の形態における端末装置１１、地域サーバ装置１２、基幹サーバ装置１３のブロック図である。端末装置１１は、端末通信可否判断部１１１、端末受付部１１２、端末送信部１１３、端末受信部１１４、端末出力部１１５を備える。また、地域サーバ装置１２は、地域サーバ格納部１２１、地域サーバ受信部１２２、地域サーバ蓄積部１２３、地域サーバ通信可否判断部１２４、地域サーバ取得部１２５、地域サーバ送信部１２６、地域サーバスコア算出部１２７、地域サーバ削除部１２８を備える。また、基幹サーバ装置１３は、基幹サーバ格納部１３１、基幹サーバ受信部１３２、基幹サーバ蓄積部１３３、基幹サーバ取得部１３４、基幹サーバ送信部１３５、基幹サーバスコア算出部１３６、基幹サーバ削除部１３７を備える。
【００３２】
端末通信可否判断部１１１は、地域サーバ装置１２との通信が可能であるか否かを判断する。また、端末通信可否判断部１１１は、通常、基幹サーバ装置１３との通信が可能であるか否かも判断する。地域サーバ装置１２との通信が可能であるか否かを判断する場合、端末通信可否判断部１１１は、通常、以下のいずれかの方法により判断を行う。
【００３３】
（１）受動的な判断方法：この場合、地域サーバ装置１２は、通常、地域サーバ装置１２を識別する地域サーバ識別子を送信している。地域サーバ識別子とは、通常、例えば、ＳＳＩＤや、ＩＰアドレス、ＵＲＬ、ドメイン名などである。また、当該「送信」は、通常、いわゆるブロードキャストでの送信ある。「ブロードキャストでの送信」とは、例えば、無線ＬＡＮのアクセスポイントによるビーコン信号の送信などと同様の送信などである。従って、端末通信可否判断部１１１は、通常、後述の端末受信部１１４が地域サーバ識別子を受信したか否かを判断することで、地域サーバ装置１２との通信が可能であるか否かを判断する。つまり、端末通信可否判断部１１１は、後述の端末受信部１１４が地域サーバ識別子を受信した場合に、当該地域サーバ識別子により識別される地域サーバ装置１２との通信が可能であると判断する。また、端末通信可否判断部１１１は、後述の端末受信部１１４が地域サーバ識別子を受信していない場合に、地域サーバ装置１２との通信が可能でないと判断する。
【００３４】
また、端末通信可否判断部１１１は、例えば、１以上の地域サーバ識別子を保持していてもよい。この場合、端末通信可否判断部１１１は、当該保持している１以上の地域サーバ識別子のいずれかと同一の地域サーバ識別子を、後述の端末受信部１１４が受信したか否かを判断することにより、地域サーバ装置１２との通信が可能であるか否かを判断してもよい。
【００３５】
（２）能動的な判断方法：この場合、端末通信可否判断部１１１は、通常、１以上の地域サーバ識別子を保持している。そして、端末通信可否判断部１１１は、当該保持している１以上の地域サーバ識別子のいずれかにより識別される地域サーバ装置１２に、予め決められたデータを送信する。当該予め決められたデータとは、例えば、いわゆるｐｉｎｇ信号や、ＨＴＴＰリクエストなどである。そして、端末通信可否判断部１１１は、当該送信に対する返信があるか否かを判断することで、地域サーバ装置１２との通信が可能であるか否かを判断してもよい。つまり、端末通信可否判断部１１１は、地域サーバ装置１２への予め決められたデータの送信後に、地域サーバ装置１２からの返信があった場合に、当該地域サーバ装置１２との通信が可能であると判断する。また、端末通信可否判断部１１１は、地域サーバ装置１２への予め決められたデータの送信後に、地域サーバ装置１２からの返信がなかった場合に、当該地域サーバ装置１２との通信が可能でないと判断する。なお、予め決められたデータの送信は、通常、後述の端末送信部１１３が行う。また、地域サーバ装置１２からの返信の受信は、通常、後述の端末受信部１１４が行う。
【００３６】
また、基幹サーバ装置１３との通信が可能であるか否かを判断する場合、端末通信可否判断部１１１は、通常、上記の「（２）能動的な判断方法」と同様の方法により判断を行う。
【００３７】
なお、他の装置との通信が可能であるか否かの判断は、公知の技術であるので、詳細な説明は省略する。
【００３８】
端末受付部１１２は、（１）災害関連情報と、（２）災害関連情報要求指示と、（３）評価情報とを受け付ける。端末受付部１１２は、当該災害関連情報と、災害関連情報要求指示と、評価情報とを、通常、同時には受け付けず、別々に受け付ける。また、受け付けとは、タッチパネルや、キーボードなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００３９】
（１）災害関連情報とは、災害に関連する情報である。災害関連情報は、具体的には、例えば、災害の発生に伴う状況を示す情報である。災害とは、通常、自然現象に起因する自然災害である。また、災害の発生に伴う状況（以下、適宜、災害の状況）とは、例えば、道路や、橋、トンネル、堤防などの建造物の損壊の状況や、被災者の安否の状況、避難所の状況、食料などの配給の状況、その他の被害の状況などである。
【００４０】
災害関連情報は、通常、文字列（１以上の文字）である。また、災害関連情報は、例えば、画像（写真）であってもよい。つまり、災害関連情報が示す災害の状況は、通常、文字列や、画像により示される。また、災害関連情報は、文字列と画像とを有していることが好適である。この場合、当該画像は、いわゆる添付画像である。また、当該画像は、いわゆるメタデータを有している形式（例えば、ＪＰＥＧなど）であることが好適である。当該メタデータは、例えば、いわゆるＥｘｉｆと呼ばれる情報である。
【００４１】
また、災害関連情報には、例えば、送信元の装置を識別する識別子（以下、適宜、送信元識別子）や、送信先を送信する装置を識別する識別子（以下、適宜、送信先識別子）などが対応付いていてもよい。
【００４２】
送信元識別子は、通常、端末装置１１を識別する端末識別子である。端末識別子は、例えば、ＩＰアドレスや、ＭＡＣアドレスなどである。また、また、送信元識別子は、例えば、地域サーバ装置１２を識別する地域サーバ識別子であってもよい。また、送信先識別子は、通常、地域サーバ装置１２を識別する地域サーバ識別子である。また、送信先識別子は、例えば、基幹サーバ装置１３を識別する基幹サーバ識別子であってもよい。基幹サーバ識別子は、例えば、ＩＰアドレスや、ＭＡＣアドレス、ドメイン名、ＵＲＬ、ドメイン名などである。
【００４３】
また、災害関連情報は、例えば、（１−ａ）場所情報や、（１−ｂ）日時情報、（１−ｃ）種類情報、（１−ｄ）ユーザ関連情報などを有していてもよい。また、災害関連情報には、これらの情報が対応付いていてもよい。また、これらの情報について、以下、順に説明する。
【００４４】
（１−ａ）場所情報とは、災害が発生している場所や、災害関連情報が送信された場所などを示す情報である。場所情報は、例えば、位置を示す位置情報や、地点を示す地点情報、地域を示す地域情報などである。位置情報が示す位置は、通常、経緯度であるが、地図上の座標であってもよい。また、当該位置には、高度（高さ）が含まれてもよい。また、地点情報は、通常、地点の名称を示す地点名称情報や、地点の位置を示す位置情報である地点位置情報などを有する。また、地域情報は、通常、地域の名称を示す地域名称情報や、地域の範囲を示す地域範囲情報などを有する。地域範囲情報は、通常、２以上の位置情報を有する。
【００４５】
（１−ｂ）日時情報とは、災害が発生した日時や、災害関連情報が送信された日時などを示す情報である。日時情報は、通常、日付（年月日）を示す日付情報と、時刻を示す時刻情報とを有する。
【００４６】
（１−ｃ）種類情報とは、災害の種類や、災害の状況の種類などを示す情報である。種類情報は、例えば、災害関連情報が、道路や、橋、トンネル、堤防などの建造物の損壊の状況、被災者の安否の状況、避難所の状況、その他被害の状況などのいずれを示すかを示す情報である。
【００４７】
（１−ｄ）ユーザ関連情報とは、ユーザに関連する情報である。ユーザ関連情報は、例えば、端末装置１１を操作しているユーザ個人に関する情報であるユーザ個人情報や、端末装置１１を操作しているユーザを識別するユーザ識別子などである。ユーザ個人情報は、例えば、ユーザの氏名や、ユーザの住所、ユーザの生年月日、ユーザの電話番号などである。また、ユーザ識別子は、例えば、ユーザ名や、メールアドレスなどである。
【００４８】
また、災害関連情報が有する場所情報や、日時情報、種類情報、ユーザ関連情報、添付画像などは、災害関連情報に対する補助的な情報である。従って、これらの情報を、以下、適宜、補助情報とする。
【００４９】
（２）災害関連情報要求指示とは、災害関連情報を要求する指示である。災害関連情報要求指示は、通常、要求する災害関連情報に関する条件（以下、適宜、取得条件）を有する。取得条件は、例えば、災害関連情報要求指示を送信する装置の位置や、要求する災害関連情報の日時またはその範囲、要求する災害関連情報の件数（災害関連情報の数）、災害関連情報が示す災害の状況の種類などに関する条件である。つまり、災害関連情報要求指示は、通常、災害関連情報要求指示を送信する装置の位置や、要求する災害関連情報の日時またはその範囲、要求する災害関連情報の件数（災害関連情報の数）、災害関連情報が示す災害の状況の種類などを示す情報を有する。
【００５０】
また、災害関連情報要求指示が有する、災害関連情報を送信する装置の位置を示す位置情報は、通常、端末装置１１の現在位置を示す位置情報（以下、適宜、現在位置情報）である。また、当該現在位置情報は、通常、図示しない現在位置情報取得部が取得する。この場合、現在位置情報取得部は、通常、定期的に現在位置情報を取得する。また、現在位置情報取得部は、通常、衛星航法システム（ＧＰＳ受信機など）や、移動体通信用の基地局から位置情報を受信する装置などから、現在位置情報を取得する。この場合、現在位置情報取得部は、これらの装置を有していてもよいし、これらの装置で実現され得てもよい。また、現在位置情報取得部の処理手順は、通常、ソフトウェアで実現され、当該ソフトウェアはＲＯＭ等の記録媒体に記録されている。
【００５１】
また、災害関連情報要求指示は、例えば、送信元識別子や、送信先識別子などを有していてもよい。また、災害関連情報要求指示は、例えば、ＨＴＴＰリクエストと呼ばれる情報であってもよい。
【００５２】
（３）評価情報とは、災害関連情報に対する第三者からの評価を示す情報である。また、評価情報は、通常、災害関連情報に対する評価が、良い評価であるのか、悪い評価であるのかを示す情報である。また、評価情報は、例えば、良いと評価したユーザの数（以下、適宜、良評価ユーザ数）や、悪いと評価したユーザの数（以下、適宜、悪評価ユーザ数）、災害関連情報に対する評価点などであってもよい。評価点は、例えば、１００点満点中の点数や、１０点満点中の点数、５点満点中の点数などである。また、評価情報は、例えば、いわゆるコメントであってもよい。また、評価情報には、通常、評価した災害関連情報を識別する識別子（以下、適宜、災害関連情報識別子）が対応付いている。また、評価情報には、評価したユーザを識別するユーザ識別子が対応付いていてもよい。また、評価情報には、例えば、評価情報を送信する装置を識別する送信先識別子などが対応付いていてもよい。
【００５３】
なお、上記において「有すること」とは、「対応付いていること」と解してもよい。また、逆に、「対応付いていること」とは、「有すること」と解してもよい。これは、以下においても同様である。
【００５４】
端末送信部１１３は、災害関連情報と、災害関連情報要求指示と、評価情報とを送信する。端末送信部１１３は、災害関連情報と、災害関連情報要求指示と、評価情報とを、通常、同時には送信せず、別々に送信する。また、当該災害関連情報などは、通常、端末受付部１１２が受け付けた災害関連情報などである。つまり、端末受付部１１２が災害関連情報を受け付けた場合、端末送信部１１３は、当該災害関連情報を送信する。また、端末受付部１１２が災害関連情報要求指示を受け付けた場合、端末送信部１１３は、当該災害関連情報要求指示を送信する。また、端末受付部１１２が評価情報を受け付けた場合、端末送信部１１３は、当該評価情報を送信する。
【００５５】
また、端末送信部１１３は、災害関連情報を、通常、地域サーバ装置１２に送信する。また、端末送信部１１３は、災害関連情報を、例えば、基幹サーバ装置１３に送信してもよい。
【００５６】
また、端末送信部１１３は、災害関連情報要求指示を、通常、当該災害関連情報要求指示が有する送信先識別子により識別される装置に送信する。当該送信先識別子により識別される装置とは、通常、地域サーバ装置１２または基幹サーバ装置１３である。
【００５７】
また、端末送信部１１３は、通常、評価情報を、当該評価情報に対応付いている送信先識別子により識別される装置に送信する。当該送信先識別子により識別される装置とは、通常、地域サーバ装置１２または基幹サーバ装置１３である。
【００５８】
また、例えば、地域サーバ装置１２に災害関連情報を送信する場合、端末送信部１１３は、通常、端末通信可否判断部１１１が、地域サーバ装置１２との通信が可能であると判断した場合に、災害関連情報を送信する。また、例えば、基幹サーバ装置１３に災害関連情報を送信する場合、端末送信部１１３は、通常、端末通信可否判断部１１１が、基幹サーバ装置１３との通信が可能であると判断した場合に、災害関連情報を送信する。
【００５９】
また、例えば、地域サーバ装置１２に災害関連情報要求指示を送信する場合、端末送信部１１３は、通常、端末通信可否判断部１１１が、地域サーバ装置１２との通信が可能であると判断した場合に、災害関連情報要求指示を送信する。また、例えば、基幹サーバ装置１３に災害関連情報要求指示を送信する場合、端末送信部１１３は、通常、端末通信可否判断部１１１が、基幹サーバ装置１３との通信が可能であると判断した場合に、災害関連情報要求指示を送信する。
【００６０】
また、例えば、地域サーバ装置１２に評価情報を送信する場合、端末送信部１１３は、通常、端末通信可否判断部１１１が、地域サーバ装置１２との通信が可能であると判断した場合に、評価情報を送信する。また、例えば、基幹サーバ装置１３に評価情報を送信する場合、端末送信部１１３は、端末通信可否判断部１１１が、基幹サーバ装置１３との通信が可能であると判断した場合に、評価情報を送信する。また、評価情報を送信する場合、端末送信部１１３は、通常、当該評価情報に対応付いている災害関連情報識別子と共に送信する。
【００６１】
また、端末送信部１１３は、例えば、地域サーバ装置１２または基幹サーバ装置１３との通信が可能であるか否かを判断するためのｐｉｎｇ信号や、ＨＴＴＰリクエストなどを、当該それぞれの装置に送信してもよい。
【００６２】
端末受信部１１４は、災害関連情報要求指示の送信に応じて、１以上の災害関連情報を受信する。当該１以上の災害関連情報は、通常、当該災害関連情報要求指示に対応する災害関連情報である。また、端末受信部１１４は、通常、地域サーバ装置１２または基幹サーバ装置１３から、１以上の災害関連情報を受信する。つまり、端末送信部１１３が地域サーバ装置１２に災害関連情報要求指示を送信した場合、端末受信部１１４は、当該送信に応じて、地域サーバ装置１２から１以上の災害関連情報を受信する。また、端末送信部１１３が基幹サーバ装置１３に災害関連情報要求指示を送信した場合、端末受信部１１４は、当該送信に応じて、基幹サーバ装置１３から１以上の災害関連情報を受信する。
【００６３】
端末出力部１１５は、１以上の災害関連情報を出力する。当該１以上の災害関連情報は、端末受信部１１４が受信した災害関連情報である。また、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。なお、当該出力の態様は問わない。
【００６４】
また、端末出力部１１５は、例えば、１以上の各災害関連情報が有する位置情報を用いて、地図を示す地図情報に対応付けて出力してもよい。このとき、当該地図情報は、通常、予め決められた記憶領域（例えば、図示しない地図情報格納部）に格納されている。また、当該地図情報が示す地図の種類や、地図情報の形式などは、問わない。また、地図情報は、通常、地図上の地点を示す１以上の地点情報や、地図上の地域を示す１以上の地域情報などを有する。
【００６５】
地域サーバ格納部１２１には、１以上の災害関連情報が格納される。当該１以上の各災害関連情報には、例えば、１以上の評価情報が対応付いていてもよい。当該災害関連情報に対応付いている１以上の評価情報は、通常、良評価ユーザ数や、悪評価ユーザ数、評価点、評価点の平均、いわゆるコメントなどである。また、当該評価情報には、ユーザ識別子が対応付いていてもよい。また、当該１以上の各災害関連情報には、スコアが対応付いていてもよい。当該スコアは、当該１以上の各災害関連情報の信頼性を示すスコアである。当該「信頼性」は、例えば、「信頼度」や、「信用性」、「信用度」、「信憑性」、「信憑度」、「確信度」、「確度」などであるとしてもよい。また、当該スコアの形式は、問わない。
【００６６】
地域サーバ受信部１２２は、災害関連情報と、災害関連要求指示と、評価情報とを、２以上の端末装置１１から受信する。当該評価情報には、通常、災害関連情報識別子が対応付いている。また、地域サーバ受信部１２２は、これらの情報を、通常、同時には受信せず、別々に受信する。また、地域サーバ受信部１２２は、例えば、災害関連情報を、他の１以上の地域サーバ装置１２から受信してもよい。
【００６７】
地域サーバ蓄積部１２３は、災害関連情報を、地域サーバ格納部１２１に蓄積する。当該災害関連情報は、通常、地域サーバ受信部１２２が受信した災害関連情報である。また、このとき、地域サーバ蓄積部１２３は、通常、当該災害関連情報に対応付いている情報と共に、当該災害関連情報を蓄積する。当該対応付いている情報とは、例えば、評価情報や、スコアなどである。
【００６８】
また、地域サーバ蓄積部１２３は、評価情報を、地域サーバ格納部１２１に蓄積する。当該評価情報は、通常、地域サーバ受信部１２２が受信した評価情報である。また、当該評価情報には、通常、災害関連情報を識別する災害関連情報識別子が対応付いている。従って、地域サーバ蓄積部１２３は、通常、当該評価情報を、当該評価情報に対応付いている災害関連情報識別子により識別される災害関連情報に対応付けて、地域サーバ格納部１２１に蓄積する。
【００６９】
地域サーバ格納部１２１に格納されている災害関連情報には、例えば、評価情報である良評価ユーザ数や、悪評価ユーザ数、評価点、評価点の平均、いわゆるコメントなどが対応付いている。従って、地域サーバ蓄積部１２３は、通常、蓄積する評価情報または地域サーバ格納部１２１に格納されている評価情報に応じた蓄積を行う。
【００７０】
例えば、蓄積する評価情報が、良い評価であることを示す場合、地域サーバ蓄積部１２３は、通常、既に格納されている良評価ユーザ数を、１インクリメントする。また、例えば、蓄積する評価情報が、悪い評価であることを示す場合、地域サーバ蓄積部１２３は、通常、既に格納されている悪評価ユーザ数を、１インクリメントする。
【００７１】
また、例えば、蓄積する評価情報が、良評価ユーザ数を示す場合、地域サーバ蓄積部１２３は、通常、当該評価情報を、既に格納されている良評価ユーザ数を示す評価情報に上書きして蓄積する。また、例えば、蓄積する評価情報が、悪評価ユーザ数を示す場合、地域サーバ蓄積部１２３は、通常、当該評価情報を、既に格納されている悪評価ユーザ数を示す評価情報に上書きして蓄積する。
【００７２】
また、例えば、蓄積する評価情報が、評価点を示す場合、地域サーバ蓄積部１２３は、通常、当該評価情報を、既に格納されている災害関連情報に新たに対応付けて蓄積する。また、例えば、既に格納されている災害関連情報に評価点の平均点が対応付いている場合、地域サーバ蓄積部１２３は、蓄積する評価点と、既に格納されている平均点とを用いて、新たな平均点を算出し、当該平均点を、既に格納されている平均点に上書きする。
【００７３】
また、例えば、蓄積する評価情報が、いわゆるコメントである場合、地域サーバ蓄積部１２３は、通常、当該評価情報を、既に格納されている災害関連情報に新たに対応付けて蓄積する。
【００７４】
また、評価情報を蓄積する場合、地域サーバ蓄積部１２３は、例えば、当該評価情報を蓄積した日時を示す日時情報も対応付けて、評価情報を蓄積してもよい。
【００７５】
地域サーバ通信可否判断部１２４は、基幹サーバ装置１３との通信が可能であるか否かを判断する。当該判断の方法は、端末通信可否判断部１１１による基幹サーバ装置１３との通信が可能であるか否かの判断の方法と同様であるので、説明を省略する。
【００７６】
また、地域サーバ通信可否判断部１２４は、例えば、他の地域サーバ装置１２との通信が可能であるか否かを判断してもよい。当該判断の方法は、端末通信可否判断部１１１による地域サーバ装置１２との通信が可能であるか否かの判断の方法と同様であるので、説明を省略する。
【００７７】
地域サーバ取得部１２５は、１以上の災害関連情報を、地域サーバ格納部１２１から取得する。地域サーバ取得部１２５は、通常、地域サーバ受信部１２２による災害関連情報要求指示の受信に応じて、当該災害関連情報要求指示に対応する１以上の災害関連情報を取得する。つまり、地域サーバ取得部１２５は、通常、地域サーバ受信部１２２が災害関連情報要求指示を受信したか否かを判断し、受信した場合に、当該災害関連情報要求指示に対応する１以上の災害関連情報を取得する。
【００７８】
また、災害関連情報要求指示は、通常、取得条件を有する。従って、地域サーバ取得部１２５は、通常、災害関連情報要求指示が有する取得条件に合致する１以上の災害関連情報を取得する。
【００７９】
例えば、取得条件が、災害関連情報要求指示を送信した装置の位置に関する条件であるとする。この場合、当該取得条件は、通常、当該位置を示す位置情報（以下、装置位置情報）を有する。この様な場合、地域サーバ取得部１２５は、例えば、当該装置位置情報が示す位置と、地域サーバ格納部１２１に格納されている１以上の各災害関連情報に対応付いている位置情報が示す位置との距離を算出する。そして、地域サーバ取得部１２５は、当該距離が予め決められた条件に合致するか否かを判断する。当該「予め決められた条件に合致する」とは、通常、予め決められた条件を満たすほど近いことである。そして、地域サーバ取得部１２５は、当該条件に合致すると判断した１以上の災害関連情報を取得する。なお、当該予め決められた条件は、通常、距離に関する条件である。
【００８０】
また、例えば、取得条件が、災害関連情報の日時の範囲に関する条件であるとする。この場合、当該取得条件は、通常、当該日時の範囲を示す。従って、この様な場合、地域サーバ取得部１２５は、通常、地域サーバ格納部１２１に格納されている１以上の各災害関連情報が有する日時情報が示す日時が、当該取得条件が示す日時の範囲内であるか否かを判断する。当該「日時の範囲内である」とは、通常、日時が最近であることである。そして、地域サーバ取得部１２５は、当該日時の範囲内であると判断した１以上の災害関連情報を取得する。
【００８１】
また、例えば、取得条件が、災害関連情報の件数に関する条件であるとする。この場合、当該取得条件は、通常、当該件数を示す件数情報を有する。従って、この様な場合、地域サーバ取得部１２５は、通常、地域サーバ格納部１２１から、当該件数と同数の災害関連情報を取得する。また、当該取得の対象は、例えば、ランダムであってもよいし、災害関連情報が有する日時情報が示す日時の降順（新しいもの順）であってもよい。
【００８２】
また、例えば、取得条件が、災害の状況の種類に関する条件であるとする。この場合、当該取得条件は、通常、当該種類を示す種類情報を有する。従って、この様な場合、地域サーバ取得部１２５は、通常、地域サーバ格納部１２１に格納されている１以上の各災害関連情報が、当該取得条件が有する種類情報と同一の種類情報を有するか否かを判断する。そして、地域サーバ取得部１２５は、当該種類情報を有すると判断した１以上の災害関連情報を取得する。
【００８３】
また、地域サーバ取得部１２５は、例えば、地域サーバ通信可否判断部１２４が、基幹サーバ装置１３との通信が可能であると判断した場合や、地域サーバ装置１２との通信が可能であると判断した場合などにおいて、当該判断に応じて、予め決められた条件に合致する１以上の災害関連情報を、地域サーバ格納部１２１から取得してもよい。当該予め決められた条件は、例えば、前述の距離条件であってもよいし、「すべて取得すること」であってもよい。
【００８４】
また、地域サーバ取得部１２５は、通常、災害関連情報に対応付いている情報と共に、災害関連情報を取得する。当該対応付いている情報とは、例えば、評価情報や、スコアなどである。また、地域サーバ取得部１２５は、例えば、当該対応付いている情報は取得せずに、災害関連情報のみを取得してもよい。
【００８５】
地域サーバ送信部１２６は、地域サーバ取得部１２５が取得した１以上の災害関連情報を、端末装置１１、または他の１以上の地域サーバ装置１２、または基幹サーバ装置１３に送信する。地域サーバ送信部１２６は、通常、以下の様な場合に、１以上の災害関連情報を送信する。
【００８６】
（１）地域サーバ取得部１２５が、地域サーバ受信部１２２による災害関連情報要求指示の受信に応じて１以上の災害関連情報を取得した場合：この場合、地域サーバ送信部１２６は、通常、当該災害関連情報要求指示が有する送信元識別子により識別される装置に、当該１以上の災害関連情報を送信する。当該送信元識別子は、通常、端末識別子である。つまり、この場合、地域サーバ送信部１２６は、地域サーバ取得部１２５が取得した１以上の災害関連情報を、当該送信元識別子により識別される端末装置１１に送信する。
【００８７】
（２）地域サーバ取得部１２５が、地域サーバ通信可否判断部１２４による他の１以上の地域サーバ装置１２との通信が可能であるとの判断に応じて１以上の災害関連情報を取得した場合：この場合、地域サーバ送信部１２６は、通常、地域サーバ通信可否判断部１２４が通信可能であると判断した他の１以上の地域サーバ装置１２に、当該１以上の災害関連情報を送信する。
【００８８】
（３）地域サーバ取得部１２５が、地域サーバ通信可否判断部１２４による基幹サーバ装置１３との通信が可能であるとの判断に応じて１以上の災害関連情報を取得した場合：この場合、地域サーバ送信部１２６は、通常、基幹サーバ装置１３に、当該１以上の災害関連情報を送信する。
【００８９】
また、地域サーバ送信部１２６は、通常、災害関連情報に対応付いている情報と共に、当該災害関連情報を送信する。当該対応付いている情報とは、例えば、評価情報や、スコアなどである。また、地域サーバ送信部１２６は、例えば、当該対応付いている情報は送信せずに、災害関連情報のみを送信してもよい。
【００９０】
また、地域サーバ送信部１２６は、例えば、地域サーバ識別子を送信してもよい。当該「送信」は、通常、いわゆるブロードキャストでの送信ある。また、当該地域サーバ識別子は、通常、地域サーバ送信部１２６が保持している。
【００９１】
地域サーバスコア算出部１２７は、１以上の各災害関連情報の信頼性を示すスコアを算出する。当該１以上の各災害関連情報は、地域サーバ格納部１２１に格納されている災害関連情報である。また、当該「スコアを算出する」とは、スコアを取得することである。また、地域サーバスコア算出部１２７は、通常、当該１以上の各災害関連情報を用いて、当該スコアを算出する。「災害関連情報を用いてスコアを算出する」とは、災害関連情報そのものや、災害関連情報が有する情報、災害関連情報に対応付いている情報などを用いることも含む。また、当該スコアは、例えば、第一のスコア、第二のスコア、第三のスコア、第四のスコアである。第一のスコアとは、災害関連情報に対応付いている評価情報を用いて算出されるスコアである。また、第二のスコアとは、他の災害関連情報との比較結果である類似度を用いて算出されるスコアである。また、第三のスコアとは、災害関連情報が有する補助情報を用いて算出されるスコアである。また、第四のスコアとは、上記の３種類のスコアのうちの２種類以上のスコアを用いて算出されるスコアである。以上より、上記の４種類のスコアは、当該スコアが示す信頼性の基準が異なる。従って、地域サーバスコア算出部１２７は、通常、地域サーバ格納部１２１に格納されている１以上のすべての災害関連情報に対して、上記のうちのいずれか１種類のスコアを算出する。また、当該各種類のスコアの算出の方法や手順などは、以下のとおりである。
【００９２】
（１）第一のスコアを算出する場合：この場合、地域サーバスコア算出部１２７は、１以上の各災害関連情報について、当該１以上の各災害関連情報に対応付いている評価情報を用いて第一のスコアを算出する。「評価情報を用いて第一のスコアを算出する」とは、評価情報に基づいて第一のスコアを算出することである。つまり、地域サーバスコア算出部１２７は、評価情報が対応付いている災害関連情報に対して、第一のスコアを算出する。また、当該対応付いている評価情報は、通常、良評価ユーザ数や、悪評価ユーザ数、評価点、評価点の平均、いわゆるコメントなどである。つまり、当該評価情報は、数値か文字列である。従って、地域サーバスコア算出部１２７は、通常、１以上の各災害関連情報に対応付いている評価情報に応じて、第一のスコアを算出する。
【００９３】
（１−Ａ）評価情報が数値である場合：この場合、地域サーバスコア算出部１２７は、例えば、第一のスコアを算出するための算出式を予め保持している。当該算出式は、例えば、数値である評価情報を代入するための変数を有している。そして、地域サーバスコア算出部１２７は、保持している算出式が有する変数に、数値である評価情報を代入し、第一のスコアを算出する。なお、当該算出式は、例えば、良評価ユーザ数や評価点、評価点の平均などの増加に応じて、算出される第一のスコアが高くなるもの（増加関数）であることが好適である。
【００９４】
（１−Ｂ）評価情報が文字列である場合：この場合、一の災害関連情報には、通常、文字列である１以上の評価情報が対応付いている。従って、この場合、地域サーバスコア算出部１２７は、通常、当該対応付いている１以上の各評価情報が、良い評価を示すものであるのか、悪い評価を示すものであるのかを判断する。そして、地域サーバスコア算出部１２７は、良い評価を示すものであると判断した評価情報の数を良評価ユーザ数、悪い評価を示すものであると判断した評価情報の数を悪評価ユーザ数とし、上記（１−Ａ）の方法と同様の方法により、第一のスコアを算出する。
【００９５】
つまり、第一のスコアを算出する場合、地域サーバスコア算出部１２７は、通常、１以上の各災害関連情報に対応付いている評価情報を用いて、数値情報を取得し、当該数値情報を用いて、第一のスコアを算出する。
【００９６】
なお、上記（１−Ｂ）において、文字列が良い評価を示すものであるのか、悪い評価を示すものであるのかの判断の方法は、例えば、次のとおりである。地域サーバスコア算出部１２７は、例えば、良い評価であることを示す１以上の用語（以下、適宜、良用語）、および悪い評価であることを示す１以上の用語（以下、適宜、悪用語）を予め保持している。良用語は、例えば、「ありがとう」や、「助かった」、「良い」などである。また、悪用語は、例えば、「ウソ」や、「デマ」、「悪い」などである。そして、地域サーバスコア算出部１２７は、文字列が、良用語、悪用語のそれぞれを有する数をカウントする。そして、良用語の数の方が多い場合、地域サーバスコア算出部１２７は、当該文字列が良い評価を示すものである判断する。また、悪用語の数の方が多い場合、地域サーバスコア算出部１２７は、当該文字列が悪い評価を示すものであると判断する。
【００９７】
また、上記（１−Ｂ）において、文字列が良い評価を示すものであるのか、悪い評価を示すものであるのかの判断には、例えば、いわゆる評判解析の技術（「評Ｂａｎ；http://www.hyohban.jp/」や、「評判分析；http://www.research.ibm.com/trl/projects/textmining/takmi/sentiment_analysis.htm」など）を用いてもよい。
【００９８】
また、例えば、一の災害関連情報について、しばらくの間、評価されていない災害関連情報、つまり、どのユーザも興味を示さない様な古い災害関連情報ほど、スコアが低くなることが好適である。従って、地域サーバスコア算出部１２７は、例えば、算出した第一のスコアに対して、最後に評価された日時からの経過時間に応じた係数を乗じてもよい。当該「最後に評価された日時」は、評価情報に対応付いている日時情報のうち、最新の日時を示す日時情報により示される。また、「経過時間」とは、例えば、日数や、時間、秒などである。また、「係数」は、例えば、経過時間の逆数である。
【００９９】
また、例えば、評価情報が数値である場合、地域サーバスコア算出部１２７は、例えば、地域サーバ格納部１２１に格納されているすべての災害関連情報に対応付いている評価情報を用いて、一の災害関連情報に対する第一のスコアを算出してもよい。この場合、地域サーバスコア算出部１２７は、例えば、すべての災害関連情報のいずれか１以上に評価したユーザ数に対する、一の災害関連情報に対して評価したユーザ数の割合を用いて、第一のスコアを算出する。当該「すべての災害関連情報のいずれか１以上に評価したユーザ数」は、すべてのユーザ数であってもよい。
【０１００】
（２）第二のスコアを算出する場合：この場合、地域サーバスコア算出部１２７は、通常、地域サーバ格納部１２１に２以上の災害関連情報が格納されている場合に、第二のスコアを算出する。また、この場合、地域サーバスコア算出部１２７は、通常、一の災害関連情報について、他の１以上の災害関連情報との比較の結果を用いて、第二のスコアを算出する。当該比較の結果とは、通常、「類似する」または「類似しない」の判断（以下、適宜、類似判断）の結果である。また、当該類似判断には、通常、類似度を用いる。また、当該類似判断は、通常、当該類似度が、予め決められた条件を満たすほど高いか否かを判断することで行う。当該条件を満たす場合、地域サーバスコア算出部１２７は、当該類似度を算出した２つの災害関連情報が類似すると判断する。また、当該条件を満たさない場合、地域サーバスコア算出部１２７は、当該類似度を算出した２つの災害関連情報が類似しないと判断する。なお、２つの文字列や画像などの類似度を算出する方法や手順などは、公知であるので、詳細な説明を省略する。また、地域サーバスコア算出部１２７は、例えば、以下のいずれかの方法により、第二のスコアを算出する。
【０１０１】
（２−Ａ）算出方法１：当該算出方法は、予め決められた１以上の災害関連情報において類似する災害関連情報の数または割合を用いた算出方法である。この場合、地域サーバスコア算出部１２７は、例えば、第二のスコアを算出するための算出式を予め保持している。当該算出式は、例えば、類似する災害関連情報の数や、類似する災害関連情報の割合などを代入するための変数を有している。そして、地域サーバスコア算出部１２７は、例えば、予め決められた１以上の災害関連情報を取得する。そして、地域サーバスコア算出部１２７は、当該第二のスコアを算出する対象となる災害関連情報と、取得した１以上の各災害関連情報とを比較し、当該２つの災害関連情報が類似するか否かを判断する。そして、地域サーバスコア算出部１２７は、当該類似すると判断した災害関連情報の数や、当該類似すると判断した災害関連情報の割合などを算出する。そして、地域サーバスコア算出部１２７は、保持している算出式が有する変数に、算出した数や割合などを代入し、第二のスコアを算出する。なお、当該算出式は、例えば、類似する災害関連情報の数や、類似する災害関連情報の割合などの増加に応じて、算出される第二のスコアが高くなるもの（増加関数）であることが好適である。
【０１０２】
なお、当該算出方法において、予め決められた１以上の災害関連情報とは、例えば、予め決められた期間内に送信された災害関連情報や、予め決められた数の災害関連情報などである。当該「予め決められた期間」は、例えば、第二のスコアを算出する対象となる災害関連情報の送信日時を基準とした期間である。また、当該期間は、例えば、当該送信日時が最も新しい日時となる期間であることが好適である。また、当該「予め決められた数の災害関連情報を取得する場合、地域サーバスコア算出部１２７は、通常、第二のスコアを算出する対象となる災害関連情報の送信日時から遡って、時間的に連続する予め決められた数の災害関連情報を取得する。
【０１０３】
（２−Ｂ）算出方法２：当該算出方法は、連続して類似する災害関連情報の数を用いた算出方法である。この場合、地域サーバスコア算出部１２７は、例えば、第二のスコアを算出するための算出式を予め保持している。当該算出式は、例えば、連続して類似する災害関連情報の数（以下、適宜、連続類似数）を代入するための変数を有している。当該「連続して類似する」とは、一の災害関連情報と類似する１以上の災害関連情報が、時間的に連続していることや、類似する２つの災害関連情報の組が、時間的に連続していることなどを意味する。そして、地域サーバスコア算出部１２７は、例えば、第二のスコアを算出する対象となる災害関連情報について、連続類似数を算出する。そして、地域サーバスコア算出部１２７は、保持している算出式が有する変数に、算出した数を代入し、第二のスコアを算出する。なお、当該算出式は、例えば、連続類似数の増加に応じて、算出される第二のスコアが高くなるもの（増加関数）であることが好適である。
【０１０４】
なお、当該算出方法において、連続類似数の算出方法は、例えば、次のとおりである。地域サーバスコア算出部１２７は、例えば、第二のスコアを算出する対象となる災害関連情報と、他の１以上の災害関連情報との類似判断を、当該対象となる災害関連情報の送信日時から遡って順に行う。そして、地域サーバスコア算出部１２７は、当該順に類似判断を行った結果、連続して「類似する」と判断した回数をカウントする。
【０１０５】
例えば、時間的に連続する３つの災害関連情報（情報Ａ、情報Ｂ、情報Ｃとする）があるとする。また、当該３つの災害関連情報は、情報Ａの送信日時が最も新しく、情報Ｃの送信日時が最も古いとする。また、情報Ａについて第二のスコアを算出するものとする。この様な場合、地域サーバスコア算出部１２７は、情報Ａと情報Ｂとの類似判断、情報Ａと情報Ｃとの類似判断を順に行う。そして、例えば、当該２つの類似判断について、前者は「類似する」との判断で、後者は「類似しない」との判断であったとする。この様な場合、地域サーバスコア算出部１２７は、連続類似数「１」を取得する。また、例えば、どの災害関連情報とも類似しない場合の連続類似数を「１」とする場合、地域サーバスコア算出部１２７は、連続類似数「２」を取得する。
【０１０６】
また、当該算出方法において、連続類似数の算出方法は、例えば、次のとおりであってもよい。地域サーバスコア算出部１２７は、例えば、第二のスコアを算出する対象となる災害関連情報の送信日時から遡って、順に、時間的に連続する２つの災害関連情報（隣り合う２つの災害関連情報）の類似判断を行う。そして、地域サーバスコア算出部１２７は、当該順に類似判断を行った結果、連続して「類似する」と判断した回数をカウントする。
【０１０７】
例えば、時間的に連続する３つの災害関連情報（情報Ａ、情報Ｂ、情報Ｃとする）があるとする。また、当該３つの災害関連情報は、情報Ａの送信日時が最も新しく、情報Ｃの送信日時が最も古いとする。また、情報Ａについて第二のスコアを算出するものとする。この様な場合、地域サーバスコア算出部１２７は、情報Ａと情報Ｂとの類似判断、情報Ｂと情報Ｃとの類似判断を順に行う。そして、例えば、当該２つの類似判断について、前者は「類似する」との判断で、後者は「類似しない」との判断であったとする。この様な場合、地域サーバスコア算出部１２７は、連続類似数「１」を取得する。また、例えば、どの災害関連情報とも類似しない場合の連続類似数を「１」とする場合、地域サーバスコア算出部１２７は、連続類似数「２」を取得する。
【０１０８】
また、例えば、一の対象物についての状況を示す一の災害関連情報について、新たな状況を示す場合は信頼性が高く、古い状況を示す場合は信頼性が低いことが好適である。例えば、損壊していた橋が復旧した場合、橋が復旧したことを示す災害関連情報の信頼性は高く、橋が損壊していたことを示す災害関連情報の信頼性は低いことが好適である。従って、地域サーバスコア算出部１２７は、例えば、上記（２−Ａ）または（２−Ｂ）において第二のスコアが算出された災害関連情報について、当該第二のスコアを算出するために取得した１以上の災害関連情報以外の災害関連情報であって、当該第二のスコアが算出された当該災害関連情報が示す災害の状況とは異なる状況を示す災害関連情報の第二のスコアを低くしてもよい。当該「異なる状況」は、例えば、「反対の状況」であってもよい。また、当該「低くする」とは、通常、第二のスコアを「０」にすることである。
【０１０９】
例えば、地域サーバ格納部１２１に、時間的に連続する６個の災害関連情報が格納されているとする。また、例えば、当該６個の災害関連情報のうち、時間的に古い３つの災害関連情報は、橋が損壊していることを示し、時間的に新しい３つの災害関連情報は、橋が復旧していることを示すとする。この様な場合、地域サーバスコア算出部１２７は、例えば、時間的に新しい３つの災害関連情報に対して第二のスコアを算出したあとに、時間的に古い３つの災害関連情報に対応付いている第二のスコアを「０」にする。
【０１１０】
また、例えば、２つの災害関連情報について、当該２つの災害関連情報が示す災害の状況が、互いに異なる状況を示すか否かの判断の方法は、例えば、次のとおりである。
（ａ）２つの災害関連情報に対して、いわゆる係り受け解析を行い、当該災害関連情報が有する名詞や、動詞、形容詞、形容動詞の抽出、および、これらの品詞の係り受け関係を解析する。
（ｂ）（ａ）での係り受け解析の結果から、２つの災害関連情報において共通する名詞（同一の名詞）を検出し、当該名詞に係る品詞を、それぞれの解析結果から取得する。
（ｃ）（ｂ）でそれぞれの解析結果から取得した２つの品詞が、異なる意味を持つものであるか否かを判断する。また、このとき、当該２つの品詞が、互いに反対の意味を持つものであるか否かを判断してもよい。互いに反対の意味を持つものであるか否かを判断する場合、地域サーバスコア算出部１２７は、通常、いわゆる反対語辞書を保持しており、当該反対語辞書を用いて、２つの品詞が互いに反対の意味を持つものであるか否かを判断する。なお、当該「反対語」は、例えば、対義語や、反意語、反義語と呼んでもよい。
（ｄ）（ｃ）において、異なる意味を持つものであると判断した場合、地域サーバスコア算出部１２７は、２つの災害関連情報が示す災害の状況が、互いに異なる状況を示すと判断する。また、（ｃ）において、異なる意味をもつものでないと判断した場合、地域サーバスコア算出部１２７は、２つの災害関連情報が示す災害の状況が、互いに異なる状況を示さないと判断する。
【０１１１】
なお、上記（ｂ）において、共通する名詞に係っている品詞を２以上取得した場合、地域サーバスコア算出部１２７は、通常、当該品詞のすべての組み合わせについて、上記（ｃ）の判断を行う。つまり、例えば、災害関連情報Ａと、災害関連情報Ｂとの２つの災害関連情報があり、当該２つの災害関連情報において共通する名詞に係る品詞を、災害関連情報Ａからは２つ、災害関連情報Ｂからは３つ取得したとする。この場合、地域サーバスコア算出部１２７は、通常、当該２つと３つのすべての組み合わせ（２×３＝６とおり）について、上記（ｃ）の判断を行う。また、このとき、地域サーバスコア算出部１２７は、品詞の種類が同一の品詞同士について、上記（ｃ）の判断を行う。
【０１１２】
なお、地域サーバスコア算出部１２７は、例えば、第二のスコアを算出した災害関連情報が示す災害の状況とは異なる状況を示す災害関連情報のスコアを低くすることができればよく、その方法や手順などは、問わない。また、当該第二のスコアは、通常、予め決められた条件を満たすほど高い第二のスコアであることが好適である。当該予め決められた条件はとは、通常、いわゆる閾値以上であることである。また、当該予め決められた条件は、例えば、いわゆる閾値よりも大きいことであってもよい。また、当該予め決められた条件を、以下、適宜、対象条件とする。
【０１１３】
なお、第二のスコアを算出する場合、他の災害関連情報との比較が必要である。従って、地域サーバスコア算出部１２７は、地域サーバ格納部１２１に２以上の災害関連情報が格納されている場合にのみ、第二のスコアを算出することが可能である。
【０１１４】
（３）第三のスコアを算出する場合：この場合、地域サーバスコア算出部１２７は、１以上の各災害関連情報について、当該１以上の各災害関連情報が有する補助情報を用いて第三のスコアを算出する。「補助情報を用いて第一のスコアを算出する」とは、補助情報に基づいて第一のスコアを算出することである。つまり、地域サーバスコア算出部１２７は、補助情報を有している災害関連情報に対して、第三のスコアを算出する。また、地域サーバスコア算出部１２７は、例えば、以下のいずれかの方法により、第三のスコアを算出する。
【０１１５】
（３−Ａ）算出方法１：当該算出方法は、災害関連情報が有する補助情報の数を用いた算出方法である。この場合、地域サーバスコア算出部１２７は、例えば、第三のスコアを算出するための算出式を予め保持している。当該算出式は、例えば、補助情報の数を代入するための変数を有している。そして、地域サーバスコア算出部１２７は、災害関連情報が有する補助情報の数をカウントする。そして、地域サーバスコア算出部１２７は、保持している算出式が有する変数に、当該カウントした数を代入し、第三のスコアを算出する。なお、通常、ユーザの氏名や住所、添付画像などの数が多いほど信頼性が高いと考えられる。従って、当該算出式は、例えば、補助情報の数の増加に応じて、算出される第三のスコアが高くなるもの（増加関数）であることが好適である。また、当該補助情報は、例えば、ユーザ関連情報であることが好適である。
【０１１６】
なお、当該算出方法において、補助情報の数とは、通常、各種類の補助情報の数である。つまり、災害関連情報が、ユーザの氏名と、ユーザの住所とを有している場合、補助情報の数は、「２」である。また、災害関連情報が、添付画像と、災害の発生日時を示す日時情報と、ユーザ識別子とを有している場合、補助情報の数は、「３」である。
【０１１７】
（３−Ｂ）算出方法２：当該算出方法は、補助情報が画像である場合の算出方法であり、画像が加工されている度合を用いた算出方法である。当該「加工」とは、通常、色の変更や、他の画像との重ね合わせなどである。つまり、当該「加工」には、通常、いわゆるリサイズや、トリミングなど、画像の形状の変更や、画像の切り出しなどは、含まれない。この場合、地域サーバスコア算出部１２７は、例えば、第三のスコアを算出するための算出式を予め保持している。当該算出式は、例えば、画像の加工の度合を代入するための変数を有している。当該画像の加工の度合は、例えば、画像を構成する全画素数に対する加工された画素の数の割合などや、画像中の全物体の数に対する加工された物体の数の割合などである。そして、地域サーバスコア算出部１２７は、補助情報である画像の加工の度合を算出する。そして、地域サーバスコア算出部１２７は、保持している算出式が有する変数に、当該算出した度合を代入し、第三のスコアを算出する。なお、当該算出式は、例えば、加工の度合の増加に応じて、算出される第三のスコアが低くなるものであることが好適である。また、画像の加工の度合の算出には、例えば、「Ｉｍａｇｅ  Ｅｒｒｏｒ  Ｌｅｖｅｌ  Ａｎａｌｙｓｅｒ；http://www.errorlevelanalysis.com/」や、「ノイズ特性にもとづく映像の改ざん検出；http://www.hci.iis.u-tokyo.ac.jp/~ysato/papers/KobayashiM-MIRU08.pdf」などの技術を用いる。
【０１１８】
（３−Ｃ）算出方法３：当該算出方法は、補助情報が画像であり、かつメタデータを有する形式である場合の算出方法であり、当該メタデータを用いた算出方法である。この場合、地域サーバスコア算出部１２７は、例えば、第三のスコアを算出するための算出式を予め保持している。当該算出式は、例えば、メタデータを有するか否かの判断結果や、メタデータが改ざんされているか否かの判断結果、改ざんされているメタデータの数やその割合などを代入するための変数を有している。当該判断結果は、通常、数値である。また、当該「改ざん」とは、当該画像が取得（写真が撮影）された際に当該画像に記録され、当該画像が本来有しているメタデータからの変更があることを意味する。そして、地域サーバスコア算出部１２７は、補助情報である画像がメタデータを有するか否かの判断や、メタデータが改ざんされているか否かの判断、改ざんされているメタデータの数やその割合などの算出を行い、その結果を取得する。そして、地域サーバスコア算出部１２７は、保持している算出式が有する変数に、当該取得した結果を代入し、第三のスコアを算出する。なお、当該算出式は、例えば、メタデータを有する場合や、メタデータが改ざんされていない場合、改ざんされているメタデータの数やその割合が小さいほど、算出される第三のスコアが高くなるもの（増加関数）であることが好適である。
【０１１９】
なお、当該算出方法において、地域サーバスコア算出部１２７は、例えば、メタデータを有するか否かの判断結果や、メタデータが改ざんされているか否かの判断結果に対応する数値を、予め保持している。そして、地域サーバスコア算出部１２７は、例えば、当該判断結果に対応する数値を、当該判断結果として取得する。
【０１２０】
また、当該算出方法において、メタデータが改ざんされているとの判断は、例えば、以下の様な場合に行う。
（ａ）画像が有する更新日時を示す日時情報と、メタデータが有する画像が取得された日時（写真が撮影された日時）を示す日時情報とが、異なる場合
（ｂ）メタデータが有する位置情報が、存在しない位置情報を示している場合
（ｃ）メタデータが有する撮影日時などを示す日時情報が、存在しない日時を示している場合
【０１２１】
（３−Ｄ）算出方法４：当該算出方法は、補助情報が、災害関連情報が送信された日時を示す日時情報である場合の算出方法であり、当該日時情報を用いた算出方法である。この場合、地域サーバスコア算出部１２７は、例えば、第三のスコアを算出するための算出式を予め保持している。当該算出式は、例えば、送信日時から現在の日時までの経過時間を代入するための変数を有している。当該「経過時間」とは、例えば、日数や、時間、秒などである。そして、地域サーバスコア算出部１２７は、上記の経過時間を算出する。そして、地域サーバスコア算出部１２７は、保持している算出式が有する変数に、当該算出した経過時間を代入し、第三のスコアを算出する。なお、当該算出式は、例えば、経過時間の増加に応じて、算出される第三のスコアが低くなるものであることが好適である。
【０１２２】
（３−Ｅ）算出方法５：当該算出方法は、補助情報が種類情報である場合の算出方法であり、当該種類情報を用いた算出方法である。この場合、地域サーバスコア算出部１２７は、例えば、種類情報に関する条件（以下、適宜、種類条件）と、種類情報が種類条件に合致する場合に対応する第三のスコアと、種類情報が種類条件に合致しない場合に対応する第三のスコアとを予め保持している。そして、地域サーバスコア算出部１２７は、補助情報である種類情報が当該種類条件に合致するか否かを判断する。そして、合致する場合、地域サーバスコア算出部１２７は、合致する場合に対応する第三のスコアを取得する。また、合致しない場合、地域サーバスコア算出部１２７は、合致しない場合に対応する第三のスコアを取得する。
【０１２３】
なお、当該算出方法において、種類条件は１以上であってもよい。この場合、地域サーバスコア算出部１２７は、当該１以上の各種類条件に対応する第三のスコアを予め保持している。そして、上記と同様の判断を行った結果、合致する場合、地域サーバスコア算出部１２７は、合致すると判断した種類条件に対応する第三のスコアを取得する。
【０１２４】
（３−Ｆ）算出方法６：当該算出方法は、上記の算出方法を組み合わせた算出方法であり、補助情報に対する判断結果を用いた算出方法である。当該「判断」とは、補助情報を有するか否かの判断や、補助情報の数のカウント、画像が加工されているか否かの判断、画像が加工されている度合の算出、改ざんされているメタデータの数やその割合の算出などである。また、当該判断結果は、通常、数値である。この場合、地域サーバスコア算出部１２７は、例えば、第三のスコアを算出するための算出式を予め保持している。当該算出式は、例えば、上記の判断結果を代入するための変数を有している。そして、地域サーバスコア算出部１２７は、補助情報に対する１以上の判断を行い、その判断結果を示す判断結果情報を取得する。そして、地域サーバスコア算出部１２７は、保持している算出式が有する変数に、当該取得した判断結果情報を代入し、第三のスコアを算出する。
【０１２５】
また、例えば、一の災害関連情報について、送信されてからの経過時間が長い災害関連情報、つまり、古い災害関連情報ほど、スコアが低くなることが好適である。従って、地域サーバスコア算出部１２７は、例えば、算出した第三のスコアに対して、送信日時から現在の日時までの経過時間に応じた係数を乗じてもよい。当該「送信日時」は、災害関連情報が有する日時情報により示される。また、「経過時間」とは、例えば、日数や、時間、秒などである。また、「係数」は、例えば、経過時間の逆数である。なお、当該係数の乗算は、通常、上記の算出方法４で算出した第三のスコアに対しては、行わない。
【０１２６】
（４）第四のスコアを算出する場合：この場合、地域サーバスコア算出部１２７は、例えば、第四のスコアを算出するための算出式を予め保持している。当該算出式は、例えば、第一のスコア、第二のスコア、第三のスコアのうちのいずれか２種類以上のスコアを代入するための変数を有している。そして、地域サーバスコア算出部１２７は、地域サーバ格納部１２１に格納されている１以上の各災害関連情報について、上記の３種類のスコアのうちの２種類以上のスコアを算出する。当該算出するスコアの組み合わせは、問わない。そして、地域サーバスコア算出部１２７は、保持している算出式が有する変数に、当該算出した２種類または３種類のスコアを代入し、第四のスコアを算出する。なお、当該算出式は、例えば、第一のスコアや第二のスコアなどの増加に応じて、算出される第四のスコアが高くなるもの（増加関数）であることが好適である。また、当該算出式は、当該２種類以上のスコアの平均を算出するものであってもよい。当該平均は、通常、算術平均、または加重平均である。
【０１２７】
なお、上記の各算出方法において、算出式は、例えば、当該算出式を実現するプログラムであってもよい。また、当該算出式は、例えば、いわゆる関数を有していてもよい。
【０１２８】
また、地域サーバスコア算出部１２７は、例えば、算出したスコアを、当該スコアを算出した災害関連情報に対応付けて、地域サーバ格納部１２１に蓄積してもよい。
【０１２９】
また、スコアを算出する対象は、通常、地域サーバ格納部１２１に格納されている１以上のすべての災害関連情報である。また、当該対象は、例えば、対応付いているスコアが予め決められた条件を満たす１以上の災害関連情報であってもよい。また、当該対象は、例えば、下記の地域サーバ削除部１２８により削除されていない１以上の災害関連情報であってもよい。
【０１３０】
地域サーバ削除部１２８は、地域サーバ格納部１２１から災害関連情報を削除する。当該災害関連情報は、地域サーバスコア算出部１２７が算出したスコアが、予め決められた条件を満たすほど高い災害関連情報以外の災害関連情報である。また、当該「削除する」ことは、つまりは、当該各災害関連情報に対応するスコアが予め決められた条件を満たすほど高い災害関連情報のみを、地域サーバ格納部１２１に残すことである。また、当該「削除する」とは、例えば、削除したことを示すフラグを付与することであってもよい。また、当該予め決められた条件とは、通常、いわゆる閾値以上であることである。また、当該予め決められた条件は、例えば、いわゆる閾値よりも大きいことであってもよい。また、当該予め決められた条件を、以下、適宜、不削除条件とする。
【０１３１】
つまり、地域サーバ削除部１２８は、通常、地域サーバ格納部１２１に格納されている１以上の各災害関連情報について、スコアが予め決められた条件を満たすほど高いか否かを判断する。そして、地域サーバ削除部１２８は、当該スコアが当該条件を満たさない災害関連情報を、地域サーバ格納部１２１から削除する。
【０１３２】
なお、スコアが予め決められた条件を満たすほど高い災害関連情報以外の災害関連情報を削除する処理の方法や手順などは、問わない。地域サーバ削除部１２８は、地域サーバ格納部１２１において、スコアが予め決められた条件を満たすほど高い災害関連情報以外の災害関連情報が削除されており、スコアが予め決められた条件を満たすほど高い災害関連情報のみが残っている状態であるための処理を行うことができればよい。
【０１３３】
また、地域サーバ削除部１２８は、通常、地域サーバスコア算出部１２７が、地域サーバ格納部１２１に格納されている１以上の各災害関連情報に対するスコアを算出した後に、地域サーバ格納部１２１から１以上の災害関連情報を削除する。従って、地域サーバスコア算出部１２７は、通常、スコアを算出するタイミングであるか否かを判断する。そして、地域サーバスコア算出部１２７は、算出するタイミングであると判断した場合に、スコアを算出する。そして、地域サーバ削除部１２８は、当該スコアの算出後に、当該スコアに基づいて、１以上の災害関連情報を削除する。
【０１３４】
また、例えば、地域サーバ削除部１２８は、１以上の災害関連情報を削除するタイミングであるか否かを判断してもよい。この場合、地域サーバ削除部１２８は、削除するタイミングであると判断した場合に、通常、地域サーバスコア算出部１２７に、スコアを算出することを指示する。そして、地域サーバスコア算出部１２７は、当該指示に従い、スコアを算出する。そして、地域サーバ削除部１２８は、当該スコアの算出後に、当該スコアに基づいて、１以上の災害関連情報を削除する。
【０１３５】
なお、上記において、スコアを算出するタイミング、および１以上の災害関連情報を削除するタイミングは、例えば、地域サーバ格納部１２１に災害関連情報が蓄積されるたびや、定期的、予め決められたタイミング（例えば、予め決められた日時）などである。
【０１３６】
基幹サーバ格納部１３１には、１以上の災害関連情報が格納される。
【０１３７】
基幹サーバ受信部１３２は、災害関連情報を、２以上の地域サーバ装置１２から受信する。また、基幹サーバ受信部１３２は、災害関連情報要求指示を、１以上の端末装置１１から受信する。また、基幹サーバ受信部１３２は、例えば、評価情報を、１以上の端末装置１１から受信してもよい。当該評価情報には、通常、災害関連情報識別子が対応付いている。
【０１３８】
基幹サーバ蓄積部１３３は、基幹サーバ受信部１３２が受信した災害関連情報を、基幹サーバ格納部１３１に蓄積する。また、このとき、基幹サーバ蓄積部１３３は、通常、当該災害関連情報に対応付いている情報と共に、当該災害関連情報を蓄積する。当該対応付いている情報とは、例えば、評価情報や、スコアなどである。
【０１３９】
また、基幹サーバ蓄積部１３３は、評価情報を、基幹サーバ格納部１３１に蓄積してもよい。当該評価情報の蓄積の方法や手順などは、地域サーバ蓄積部１２３による地域サーバ格納部１２１への評価情報の蓄積の方法や手順などと同様であるので、説明を省略する。
【０１４０】
基幹サーバ取得部１３４は、１以上の災害関連情報を、基幹サーバ格納部１３１から取得する。基幹サーバ取得部１３４は、通常、基幹サーバ受信部１３２による災害関連情報要求指示の受信に応じて、当該災害関連情報要求指示に対応する１以上の災害関連情報を取得する。つまり、基幹サーバ取得部１３４は、通常、基幹サーバ受信部１３２が災害関連情報要求指示を受信したか否かを判断し、受信した場合に、当該災害関連情報要求指示に対応する１以上の災害関連情報を取得する。
【０１４１】
なお、基幹サーバ取得部１３４による災害関連情報の取得の方法や手順などは、地域サーバ取得部１２５による災害関連情報の取得の方法や手順などと同様であるので、説明を省略する。
【０１４２】
基幹サーバ送信部１３５は、１以上の災害関連情報を、端末装置１１に送信する。当該１以上の災害関連情報は、基幹サーバ取得部１３４が取得した災害関連情報である。また、当該端末装置１１は、基幹サーバ受信部１３２が受信した災害関連情報要求指示が有する送信元識別子により識別される端末装置１１である。
【０１４３】
また、基幹サーバ送信部１３５は、通常、災害関連情報に対応付いている情報と共に、当該災害関連情報を送信する。当該対応付いている情報とは、例えば、評価情報や、スコアなどである。また、基幹サーバ送信部１３５は、例えば、当該対応付いている情報は送信せずに、災害関連情報のみを送信してもよい。
【０１４４】
基幹サーバスコア算出部１３６は、１以上の各災害関連情報の信頼性を示すスコアを算出する。当該１以上の災害関連情報は、基幹サーバ格納部１３１に格納されている災害関連情報である。なお、基幹サーバスコア算出部１３６が、基幹サーバ格納部１３１に格納されている１以上の各災害関連情報のスコアを算出する方法や手順などは、地域サーバスコア算出部１２７が、地域サーバ格納部１２１に格納されている１以上の各災害関連情報のスコアを算出する方法や手順などと同様であるので、説明を省略する。
【０１４５】
基幹サーバ削除部１３７は、基幹サーバ格納部１３１から災害関連情報を削除する。なお、当該削除する災害関連情報や、当該削除の方法や手順などは、通常、地域サーバ削除部１２８が地域サーバ格納部１２１から削除する災害関連情報や、当該削除の方法や手順などと同様であるので、説明を省略する。
【０１４６】
なお、端末通信可否判断部１１１、地域サーバ蓄積部１２３、地域サーバ通信可否判断部１２４、地域サーバ取得部１２５、地域サーバスコア算出部１２７、地域サーバ削除部１２８、基幹サーバ蓄積部１３３、基幹サーバ取得部１３４、基幹サーバスコア算出部１３６、基幹サーバ削除部１３７は、通常、ＭＰＵやメモリ等から実現され得る。また、端末通信可否判断部１１１などの処理手順は、通常、ソフトウェアで実現され、当該ソフトウェアはＲＯＭ等の記録媒体に記録されている。なお、端末通信可否判断部１１１などは、ハードウェア（専用回路）で実現されてもよい。
【０１４７】
また、端末受付部１１２における情報や指示などの入力手段は、メニュー画面によるものや、キーボードなど、何でもよい。端末受付部１１２は、メニュー画面の制御ソフトウェアや、キーボード等の入力手段のデバイスドライバなどで実現され得る。
【０１４８】
また、端末送信部１１３、地域サーバ送信部１２６、基幹サーバ送信部１３５は、通常、無線または有線の通信手段で実現されるが、放送手段で実現されてもよい。
【０１４９】
また、端末受信部１１４、地域サーバ受信部１２２、基幹サーバ受信部１３２は、通常、無線または有線の通信手段で実現されるが、放送を受信する手段で実現されてもよい。
【０１５０】
また、端末出力部１１５は、ディスプレイやスピーカーなどの出力デバイスを含むと考えてもよいし、含まないと考えてもよい。端末出力部１１５は、出力デバイスのドライバソフトまたは、出力デバイスのドライバソフトと出力デバイスなどで実現され得る。
【０１５１】
また、地域サーバ格納部１２１、基幹サーバ格納部１３１は、不揮発性の記録媒体が好適であるが、揮発性の記録媒体でも実現可能である。また、地域サーバ格納部１２１などに所定の情報が記憶される過程は、問わない。例えば、当該所定の情報は、記録媒体や、通信回線、入力デバイスなどを介して地域サーバ格納部１２１などに記憶されてもよい。
【０１５２】
次に、災害時情報システム１の全体動作について、フローチャートを用いて説明する。なお、所定の情報におけるｉ番目の情報は、「情報［ｉ］」と記載するものとする。まず、端末装置１１の全体動作について、図３のフローチャートを用いて説明する。
【０１５３】
（ステップＳ３０１）端末装置１１は、端末受付部１１２が電源ＯＮの指示を受け付けたか否かを判断する。受け付けた場合は、ステップＳ３０２に進み、そうでない場合は、ステップＳ３０１に戻る。
【０１５４】
（ステップＳ３０２）端末装置１１は、電源ＯＮの処理を行う。
【０１５５】
（ステップＳ３０３）図示しない現在位置情報取得部は、現在位置情報の取得を開始する。以降、現在位置情報取得部は、通常、端末装置１１の電源がＯＦＦになるまで、現在位置情報を定期的に取得し続ける。
【０１５６】
（ステップＳ３０４）端末送信部１１３は、端末受付部１１２が災害関連情報を受け付けたか否かを判断する。受け付けた場合は、ステップＳ３０５に進み、そうでない場合は、ステップＳ３０７に進む。
【０１５７】
（ステップＳ３０５）端末通信可否判断部１１１は、地域サーバ装置１２または基幹サーバ装置１３との通信が可能であるか否かを判断する。このとき、端末通信可否判断部１１１は、通常、ステップＳ３０４で受け付けた災害関連情報に対応付いている送信先識別子により識別される上記のいずれかの装置との通信が可能であるか否かを判断する。そして、通信が可能である場合は、ステップＳ３０６に進み、そうでない場合は、ステップＳ３０７に進む。
【０１５８】
（ステップＳ３０６）端末送信部１１３は、ステップＳ３０４で受け付けた災害関連情報を、当該災害関連情報に対応付いている送信先識別子により識別される装置に送信する。
【０１５９】
（ステップＳ３０７）端末送信部１１３は、端末受付部１１２が災害関連情報要求指示を受け付けたか否かを判断する。受け付けた場合は、ステップＳ３０８に進み、そうでない場合は、ステップＳ３１２に進む。
【０１６０】
（ステップＳ３０８）端末通信可否判断部１１１は、地域サーバ装置１２または基幹サーバ装置１３との通信が可能であるか否かを判断する。このとき、端末通信可否判断部１１１は、通常、ステップＳ３０７で受け付けた災害関連情報要求指示が有する送信先識別子により識別される上記のいずれかの装置との通信が可能であるか否かを判断する。そして、通信が可能である場合は、ステップＳ３０９に進み、そうでない場合は、ステップＳ３１２に進む。
【０１６１】
（ステップＳ３０９）端末送信部１１３は、ステップＳ３０７で受け付けた災害関連情報要求指示を、当該災害関連情報要求指示が有する送信先識別子により識別される装置に送信する。
【０１６２】
（ステップＳ３１０）端末出力部１１５は、端末受信部１１４が災害関連情報を受信したか否かを判断する。受信した場合は、ステップＳ３１１に進み、そうでない場合は、ステップＳ３１０に戻る。
【０１６３】
（ステップＳ３１１）端末出力部１１５は、ステップＳ３１０で受信した災害関連情報を出力する。
【０１６４】
（ステップＳ３１２）端末送信部１１３は、端末受付部１１２が評価情報を受け付けたか否かを判断する。受け付けた場合は、ステップＳ３１３に進み、そうでない場合は、ステップＳ３１５に進む。
【０１６５】
（ステップＳ３１３）端末通信可否判断部１１１は、地域サーバ装置１２または基幹サーバ装置１３との通信が可能であるか否かを判断する。このとき、端末通信可否判断部１１１は、通常、ステップＳ３１２で受け付けた評価情報に対応付いている送信先識別子により識別される上記のいずれかの装置との通信が可能であるか否かを判断する。そして、通信が可能である場合は、ステップＳ３１４に進み、そうでない場合は、ステップＳ３１５に進む。
【０１６６】
（ステップＳ３１４）端末送信部１１３は、ステップＳ３１２で受け付けた評価情報を、当該評価情報に対応付いている送信先識別子により識別される装置に送信する。
【０１６７】
（ステップＳ３１５）端末装置１１は、端末受付部１１２が電源ＯＦＦの指示を受け付けたか否かを判断する。受け付けた場合は、ステップＳ３１６に進み、そうでない場合は、ステップＳ３０４に戻る。
【０１６８】
（ステップＳ３１６）端末装置１１は、電源ＯＦＦの処理を行う。そして、ステップＳ３０１に戻る。
【０１６９】
なお、図３のフローチャートにおいて、電源オフや処理終了の割り込みにより処理を終了してもよい。
【０１７０】
次に、地域サーバ装置１２の全体動作について、図４のフローチャートを用いて説明する。
【０１７１】
（ステップＳ４０１）地域サーバ蓄積部１２３は、地域サーバ受信部１２２が災害関連情報を受信したか否かを判断する。受信した場合は、ステップＳ４０２に進み、そうでない場合は、ステップＳ４０３に進む。
【０１７２】
（ステップＳ４０２）地域サーバ蓄積部１２３は、ステップＳ４０１で受信した災害関連情報を、地域サーバ格納部１２１に蓄積する。
【０１７３】
（ステップＳ４０３）地域サーバ取得部１２５は、地域サーバ受信部１２２が災害関連情報要求指示を受信したか否かを判断する。受信した場合は、ステップＳ４０４に進み、そうでない場合は、ステップＳ４０６に進む。
【０１７４】
（ステップＳ４０４）地域サーバ取得部１２５は、地域サーバ格納部１２１から、ステップＳ４０３で受信した災害関連情報要求指示が有する取得条件に合致する１以上の災害関連情報を取得する。
【０１７５】
（ステップＳ４０５）地域サーバ送信部１２６は、ステップＳ４０４で取得した１以上の災害関連情報を、ステップＳ４０３で受信した災害関連情報要求指示が有する送信元識別子により識別される装置に送信する。
【０１７６】
（ステップＳ４０６）地域サーバ蓄積部１２３は、地域サーバ受信部１２２が評価情報を受信したか否かを判断する。受信した場合は、ステップＳ４０７に進み、そうでない場合は、ステップＳ４０８に進む。
【０１７７】
（ステップＳ４０７）地域サーバ蓄積部１２３は、ステップＳ４０６で受信した評価情報を、地域サーバ格納部１２１に蓄積する。
【０１７８】
（ステップＳ４０８）地域サーバ通信可否判断部１２４は、他の１以上の地域サーバ装置１２または基幹サーバ装置１３との通信が可能であるか否かを判断する。可能である場合は、
ステップＳ４０９に進み、そうでない場合は、ステップＳ４１１に進む。
【０１７９】
（ステップＳ４０９）地域サーバ取得部１２５は、地域サーバ格納部１２１に格納されている１以上の災害関連情報を取得する。
【０１８０】
（ステップＳ４１０）地域サーバ送信部１２６は、ステップＳ４０９で取得した１以上の災害関連情報を、ステップＳ４０８で通信が可能であると判断した他の地域サーバ装置１２または基幹サーバ装置１３に送信する。
【０１８１】
（ステップＳ４１１）地域サーバ削除部１２８は、スコアが予め決められた条件を満たすほど高い災害関連情報以外の災害関連情報を、地域サーバ格納部１２１から削除するタイミングであるか否かを判断する。削除するタイミングである場合は、ステップＳ４１２に進み、そうでない場合は、ステップＳ４０１に戻る。
【０１８２】
（ステップＳ４１２）地域サーバ削除部１２８は、スコアが予め決められた条件を満たすほど高い災害関連情報以外の災害関連情報を、地域サーバ格納部１２１から削除する。この処理の詳細は、図５のフローチャートを用いて説明する。
【０１８３】
なお、図４のフローチャートにおいて、電源オフや処理終了の割り込みにより処理を終了してもよい。
【０１８４】
図５は、図４のフローチャートのステップＳ４１２の災害関連情報の削除処理を示すフローチャートである。なお、図５のフローチャートにおいて、地域サーバ格納部１２１には、ｍ個の災害関連情報が格納されているものとする。
【０１８５】
（ステップＳ５０１）地域サーバスコア算出部１２７は、第一のスコア、第二のスコア、第三のスコア、第四のスコアのうち、どの種類のスコアを算出するか判断する。例えば、算出するスコアの種類を示す情報が予め決められた記憶領域に格納されている場合、地域サーバスコア算出部１２７は、当該情報を用いて、算出するスコアの種類を判断する。そして、第一のスコアを算出する場合は、ステップＳ５０２に進み、第二のスコアを算出する場合は、ステップＳ５０３に進み、第三のスコアを算出する場合は、ステップＳ５０４に進み、第四のスコアを算出する場合は、ステップＳ５０５に進む。
【０１８６】
（ステップＳ５０２）地域サーバスコア算出部１２７は、地域サーバ格納部１２１に格納されているｍ個の各災害関連情報に対して、第一のスコアを算出する。この処理の詳細は、図６のフローチャートを用いて説明する。そして、ステップＳ５１３に進む。
【０１８７】
（ステップＳ５０３）地域サーバスコア算出部１２７は、地域サーバ格納部１２１に格納されているｍ個の各災害関連情報に対して、第二のスコアを算出する。この処理の詳細は、図７のフローチャートを用いて説明する。そして、ステップＳ５１３に進む。
【０１８８】
（ステップＳ５０４）地域サーバスコア算出部１２７は、地域サーバ格納部１２１に格納されているｍ個の各災害関連情報に対して、第三のスコアを算出する。この処理の詳細は、図８のフローチャートを用いて説明する。そして、ステップＳ５１３に進む。
【０１８９】
（ステップＳ５０５）地域サーバスコア算出部１２７は、地域サーバ格納部１２１に格納されているｍ個の各災害関連情報に対して、第一のスコアを算出する。この処理の詳細は、図６のフローチャートを用いて説明する。
【０１９０】
（ステップＳ５０６）地域サーバスコア算出部１２７は、地域サーバ格納部１２１に格納されているｍ個の各災害関連情報に対して、第二のスコアを算出する。この処理の詳細は、図７のフローチャートを用いて説明する。
【０１９１】
（ステップＳ５０７）地域サーバスコア算出部１２７は、地域サーバ格納部１２１に格納されているｍ個の各災害関連情報に対して、第三のスコアを算出する。この処理の詳細は、図８のフローチャートを用いて説明する。
【０１９２】
（ステップＳ５０８）地域サーバスコア算出部１２７は、カウンタｉに１をセットする。
【０１９３】
（ステップＳ５０９）地域サーバスコア算出部１２７は、予め保持している第四のスコアを算出するための算出式が有する変数に、ステップＳ５０５からステップＳ５０７において算出した災害関連情報［ｉ］に対する第一のスコア［ｉ］、第二のスコア［ｉ］、第三のスコア［ｉ］のそれぞれを代入する。
【０１９４】
（ステップＳ５１０）地域サーバスコア算出部１２７は、ステップＳ５０９で第一のスコア［ｉ］などを代入した算出式を用いて、災害関連情報［ｉ］に対応する第四のスコア［ｉ］を算出する。
【０１９５】
（ステップＳ５１１）地域サーバスコア算出部１２７は、ｉがｍであるか否かを判断する。ｍである場合は、ステップＳ５１３に進み、そうでない場合は、ステップＳ５１２に進む。
【０１９６】
（ステップＳ５１２）ｉを１インクリメントする。そして、ステップＳ５０９に戻る。
【０１９７】
（ステップＳ５１３）地域サーバ削除部１２８は、カウンタｉに１をセットする。
【０１９８】
（ステップＳ５１４）地域サーバ削除部１２８は、災害関連情報［ｉ］に対応するスコア［ｉ］が不削除条件を満たすか否かを判断する。満たす場合は、ステップＳ５１６に進み、そうでない場合は、ステップＳ５１５に進む。
【０１９９】
（ステップＳ５１５）地域サーバ削除部１２８は、災害関連情報［ｉ］を削除する。
【０２００】
（ステップＳ５１６）地域サーバ削除部１２８は、ｉがｍであるか否かを判断する。ｍである場合は、上位処理にリターンし、そうでない場合は、ステップＳ５１７に進む。
【０２０１】
（ステップＳ５１７）地域サーバ削除部１２８は、ｉを１インクリメントする。そして、ステップＳ５１４に戻る。
【０２０２】
図６は、図５のフローチャートのステップＳ５０２の第一のスコアの算出処理を示すフローチャートである。なお、図６のフローチャートにおいて、地域サーバ格納部１２１には、ｍ個の災害関連情報が格納されているものとする。
【０２０３】
（ステップＳ６０１）地域サーバスコア算出部１２７は、カウンタｉに１をセットする。
【０２０４】
（ステップＳ６０２）地域サーバスコア算出部１２７は、災害関連情報［ｉ］に対応付いている評価情報を用いて、１以上の数値情報を取得する。
【０２０５】
（ステップＳ６０３）地域サーバスコア算出部１２７は、予め保持している第一のスコアを算出するための算出式が有する変数に、ステップＳ６０２で取得した１以上の数値情報を代入する。
【０２０６】
（ステップＳ６０４）地域サーバスコア算出部１２７は、ステップＳ６０３で数値情報を代入した算出式を用いて、災害関連情報［ｉ］に対する第一のスコア［ｉ］を算出する。
【０２０７】
（ステップＳ６０５）地域サーバスコア算出部１２７は、災害関連情報［ｉ］に対応付いている１以上の評価情報から、最新の日時を示す日時情報である最新日時情報を取得する。
【０２０８】
（ステップＳ６０６）地域サーバスコア算出部１２７は、ステップＳ６０５で取得した最新日時情報を用いて、係数を算出する。当該係数は、例えば、当該最新日時情報が示す日時から現在の日時までの経過時間の逆数である。
【０２０９】
（ステップＳ６０７）地域サーバスコア算出部１２７は、ステップＳ６０４で算出した第一のスコア［ｉ］にステップＳ６０６で算出した係数を乗じる。
【０２１０】
（ステップＳ６０８）地域サーバスコア算出部１２７は、ｉがｍであるか否かを判断する。ｍである場合は、上位処理にリターンし、そうでない場合は、ステップＳ６０８に進む。
【０２１１】
（ステップＳ６０９）地域サーバスコア算出部１２７は、ｉを１インクリメントする。そして、ステップＳ６０２に戻る。
【０２１２】
なお、図６のフローチャートは、第一のスコアの算出処理の代表的な一例であり、第一のスコアの算出処理が、当該フローチャートに限定されるわけではない。
【０２１３】
図７は、図５のフローチャートのステップＳ５０３の第二のスコアの算出処理を示すフローチャートである。なお、図７のフローチャートにおいて、地域サーバ格納部１２１には、ｍ個の災害関連情報が格納されているものとする。
【０２１４】
（ステップＳ７０１）地域サーバスコア算出部１２７は、カウンタｉに１をセットする。
【０２１５】
（ステップＳ７０２）地域サーバスコア算出部１２７は、連続類似数をカウントするための変数cｃｏｕｎｔに０をセットする。
【０２１６】
（ステップＳ７０３）地域サーバスコア算出部１２７は、カウンタｊにｉ＋１をセットする。
【０２１７】
（ステップＳ７０４）地域サーバスコア算出部１２７は、災害関連情報［ｉ］と災害関連情報［ｊ］とが類似するか否かを判断する。類似する場合は、ステップＳ７０５に進み、そうでない場合は、ステップＳ７０８に進む。
【０２１８】
（ステップＳ７０５）地域サーバスコア算出部１２７は、ｃｏｕｎｔを１インクリメントする。
【０２１９】
（ステップＳ７０６）地域サーバスコア算出部１２７は、ｊがｍであるか否かを判断する。ｍである場合は、ステップＳ７０８に進み、そうでない場合は、ステップＳ７０７に進む。
【０２２０】
（ステップＳ７０７）地域サーバスコア算出部１２７は、ｊを１インクリメントする。そして、ステップＳ７０４に戻る。
【０２２１】
（ステップＳ７０８）地域サーバスコア算出部１２７は、予め保持している第三のスコアを算出するための算出式が有する変数に、ｃｏｕｎｔを代入する。
【０２２２】
（ステップＳ７０９）地域サーバスコア算出部１２７は、ステップＳ７０８でｃｏｕｎｔを代入した算出式を用いて、災害関連情報［ｉ］に対する第二のスコア［ｉ］を算出する。
【０２２３】
（ステップＳ７１０）地域サーバスコア算出部１２７は、ｉがｍであるか否かを判断する。ｍである場合は、ステップＳ７１２に進み、そうでない場合は、ステップＳ７１１に進む。
【０２２４】
（ステップＳ７１１）地域サーバスコア算出部１２７は、ｉを１インクリメントする。そして、ステップＳ７０２に戻る。
【０２２５】
（ステップＳ７１２）地域サーバスコア算出部１２７は、カウンタｉに１をセットする。
【０２２６】
（ステップＳ７１３）地域サーバスコア算出部１２７は、第二のスコア［ｉ］が対象条件を満たすか否かを判断する。満たす場合は、ステップＳ７１４に進み、そうでない場合は、ステップＳ７１９に進む。
【０２２７】
（ステップＳ７１４）地域サーバスコア算出部１２７は、カウンタｊにｉ＋１をセットする。
【０２２８】
（ステップＳ７１５）地域サーバスコア算出部１２７は、災害関連情報［ｊ］が示す災害の状況が、災害関連情報［ｉ］が示す災害の状況とは異なる状況であるか否かを判断する。異なる状況である場合は、ステップＳ７１６に進み、そうでない場合は、ステップＳ７１７に進む。
【０２２９】
（ステップＳ７１６）地域サーバスコア算出部１２７は、第二のスコア［ｊ］に０をセットする。
【０２３０】
（ステップＳ７１７）地域サーバスコア算出部１２７は、ｊがｍであるか否かを判断する。ｍである場合は、ステップＳ７１９に進み、そうでない場合は、ステップＳ７１８に進む。
【０２３１】
（ステップＳ７１８）地域サーバスコア算出部１２７は、ｊを１インクリメントする。そして、ステップＳ７１５に戻る。
【０２３２】
（ステップＳ７１９）地域サーバスコア算出部１２７は、ｉがｍであるか否かを判断する。ｍである場合は、上位処理にリターンし、そうでない場合は、ステップＳ７２０に進む。
【０２３３】
（ステップＳ７２０）地域サーバスコア算出部１２７は、ｉを１インクリメントする。そして、ステップＳ７１３に戻る。
【０２３４】
なお、図７のフローチャートは、第二のスコアの算出処理の代表的な一例であり、第二のスコアの算出処理が、当該フローチャートに限定されるわけではない。
【０２３５】
また、図７のフローチャートにおいて、地域サーバ格納部１２１に格納されているｍ個の災害関連情報は、送信日時の降順にソートされているものとする。つまり、図７のフローチャートにおいて、災害関連情報［ｉ］の送信日時よりも、災害関連情報［ｉ＋１］の送信日時の方が古い。
【０２３６】
図８は、図５のフローチャートのステップＳ５０４の第三のスコアの算出処理を示すフローチャートである。なお、図８のフローチャートにおいて、地域サーバ格納部１２１には、ｍ個の災害関連情報が格納されているものとする。
【０２３７】
（ステップＳ８０１）地域サーバスコア算出部１２７は、カウンタｉに１をセットする。
【０２３８】
（ステップＳ８０２）地域サーバスコア算出部１２７は、災害関連情報［ｉ］が有する補助情報を用いて、１以上の判断結果情報を取得する。
【０２３９】
（ステップＳ８０３）地域サーバスコア算出部１２７は、予め保持している第三のスコアを算出するための算出式が有する変数に、ステップＳ８０２で取得した１以上の判断結果情報を代入する。
【０２４０】
（ステップＳ８０４）地域サーバスコア算出部１２７は、ステップＳ８０３で判断結果情報を代入した算出式を用いて、災害関連情報［ｉ］に対する第三のスコア［ｉ］を算出する。
【０２４１】
（ステップＳ８０５）地域サーバスコア算出部１２７は、災害関連情報［ｉ］が有する送信日時を示す日時情報である送信日時情報を取得する。
【０２４２】
（ステップＳ８０６）地域サーバスコア算出部１２７は、ステップＳ８０５で取得した送信日時情報を用いて、係数を算出する。当該係数は、例えば、当該送信日時情報が示す日時から現在の日時までの経過時間の逆数である。
【０２４３】
（ステップＳ８０７）地域サーバスコア算出部１２７は、ステップＳ８０４で算出した第三のスコア［ｉ］にステップＳ８０６で算出した係数を乗じる。
【０２４４】
（ステップＳ８０８）地域サーバスコア算出部１２７は、ｉがｍであるか否かを判断する。ｍである場合は、上位処理にリターンし、そうでない場合は、ステップＳ８０８に進む。
【０２４５】
（ステップＳ８０９）地域サーバスコア算出部１２７は、ｉを１インクリメントする。そして、ステップＳ８０２に戻る。
【０２４６】
なお、図８のフローチャートは、第三のスコアの算出処理の代表的な一例であり、第三のスコアの算出処理が、当該フローチャートに限定されるわけではない。
【０２４７】
次に、基幹サーバ装置１３の全体動作について、図９のフローチャートを用いて説明する。
【０２４８】
（ステップＳ９０１）基幹サーバ蓄積部１３３は、基幹サーバ受信部１３２が災害関連情報を受信したか否かを判断する。受信した場合は、ステップＳ９０２に進み、そうでない場合は、ステップＳ９０３に進む。
【０２４９】
（ステップＳ９０２）基幹サーバ蓄積部１３３は、ステップＳ９０１で受信した災害関連情報を、基幹サーバ格納部１３１に蓄積する。
【０２５０】
（ステップＳ９０３）基幹サーバ取得部１３４は、基幹サーバ受信部１３２が災害関連情報要求指示を受信したか否かを判断する。受信した場合は、ステップＳ９０４に進み、そうでない場合は、ステップＳ９０６に進む。
【０２５１】
（ステップＳ９０４）基幹サーバ取得部１３４は、基幹サーバ格納部１３１から、ステップＳ９０３で受信した災害関連情報要求指示が有する取得条件に合致する１以上の災害関連情報を取得する。
【０２５２】
（ステップＳ９０５）基幹サーバ送信部１３５は、ステップＳ９０４で取得した１以上の災害関連情報を、ステップＳ９０３で受信した災害関連情報要求指示が有する送信元識別子により識別される装置に送信する。
【０２５３】
（ステップＳ９０６）基幹サーバ蓄積部１３３は、基幹サーバ受信部１３２が評価情報を受信したか否かを判断する。受信した場合は、ステップＳ９０７に進み、そうでない場合は、ステップＳ９０８に進む。
【０２５４】
（ステップＳ９０７）基幹サーバ蓄積部１３３は、ステップＳ９０６で受信した評価情報を、基幹サーバ格納部１３１に蓄積する。
【０２５５】
（ステップＳ９０８）基幹サーバ削除部１３７は、スコアが予め決められた条件を満たすほど高い災害関連情報以外の災害関連情報を、基幹サーバ格納部１３１から削除するタイミングであるか否かを判断する。削除するタイミングである場合は、ステップＳ９０９に進み、そうでない場合は、ステップＳ９０１に戻る。
【０２５６】
（ステップＳ９０９）基幹サーバ削除部１３７は、スコアが予め決められた条件を満たすほど高い災害関連情報以外の災害関連情報を、基幹サーバ格納部１３１から削除する。この処理の詳細は、図５のフローチャートと同様である。つまり、この処理の詳細は、図５のフローチャートにおいて、地域サーバ格納部１２１を基幹サーバ格納部１３１に、地域サーバスコア算出部１２７を基幹サーバスコア算出部１３６に、地域サーバ削除部１２８を基幹サーバ削除部１３７に読み替えたものである。従って、この処理の詳細は、説明を省略する。
【０２５７】
なお、図９のフローチャートにおいて、電源オフや処理終了の割り込みにより処理を終了してもよい。
【０２５８】
（具体例）
次に、災害時情報システム１の動作の具体例について説明する。なお、本具体例において、端末装置１１は、災害関連情報の入力や、災害関連情報の送信、災害関連情報の受信、災害関連情報の表示などを行うアプリケーションソフトウェアがインストールされた携帯端末装置（以下、携帯端末）であるものとする。また、地域サーバ装置１２は、各地域において掲示板サービスを運用するサーバ（以下、地域サーバ）であるものとする。また、基幹サーバ装置１３は、１以上の地域サーバ装置１２から収集された災害関連情報を管理するサーバ（以下、基幹サーバ）であるものとする。また、１以上の携帯端末や、当該各携帯端末を操作するユーザ、１以上の地域サーバなどを、適宜、携帯端末Ａや、携帯端末Ｂ、ユーザＡ、ユーザＢ、地域サーバＡ、地域サーバＢなどと表現するものとする。また、地域サーバ装置１２は、地域サーバ識別子を、現在位置から半径５０ｍの範囲に送信しているものとする。
【０２５９】
（例１：災害時）
本例において、災害が発生し、インフラ回線が利用できなくなった状況において、各地域に設置された地域サーバに、ユーザが災害関連情報を送信したり、各地域に設置された地域サーバに保存されている災害関連情報を、ユーザが閲覧したりする例について説明する。なお、本例において、算出したスコアは、小数第一位を四捨五入するものとする。
【０２６０】
（例１−１）
本例において、端末装置１１が、地域サーバ装置１２に災害関連情報を送信し、地域サーバ装置１２が、受信した災害関連情報を蓄積する例について説明する。
【０２６１】
まず、地域Ａに設置されている地域サーバＡの地域サーバ送信部１２６が、地域サーバ識別子「ＬｏｃａｌＳｅｒｖｅｒＡ」を送信しているとする。
【０２６２】
次に、ユーザＡが、携帯端末Ａを所持している状態で、地域サーバＡから半径５０ｍの範囲内に進入したとする。すると、携帯端末Ａの端末受信部１１４は、地域サーバ装置Ａが送信している地域サーバ識別子「ＬｏｃａｌＳｅｒｖｅｒＡ」を受信する。そして、端末通信可否判断部１１１は、地域サーバＡとの通信が可能であると判断する。
【０２６３】
次に、ユーザＡが、携帯端末Ａを操作し、ある地点における災害の状況を入力し、地域サーバＡに送信するための操作を行ったとする。すると、端末受付部１１２は、災害関連情報を受け付ける。そして、端末送信部１１３は、当該受け付けた災害関連情報を、地域サーバＡに送信する。なお、当該災害関連情報は、「○○橋が直ってる！！」であるものとする。また、当該災害関連情報には、送信場所を示す場所情報と、送信日時を示す日時情報とが対応付いているものとする。
【０２６４】
次に、地域サーバＡの地域サーバ受信部１２２は、上記の災害関連情報を受信する。そして、地域サーバ蓄積部１２３は、当該受信した災害関連情報を、地域サーバ格納部１２１に蓄積する。
【０２６５】
また、例えば、ユーザＢが、地域サーバＡから半径５０ｍの範囲内におり、ユーザＡと同様に、所持している端末装置Ｂを用いて、ある地点における災害の状況を入力し、地域サーバＡに送信するための操作を行ったとする。すると、端末受付部１１２は、災害関連情報を受け付ける。そして、端末送信部１１３は、当該受け付けた災害関連情報を、地域サーバＡに送信する。なお、当該災害関連情報は、「△△交差点の信号、消えてる！！」であるものとする。また、当該災害関連情報には、画像と、送信場所を示す場所情報と、ユーザ関連情報と、送信日時を示す日時情報とが対応付いているものとする。
【０２６６】
次に、地域サーバＡの地域サーバ受信部１２２は、上記の災害関連情報を受信する。そして、地域サーバ蓄積部１２３は、当該受信した災害関連情報を、地域サーバ格納部１２１に蓄積する。
【０２６７】
上記の様にして、２以上の携帯端末から送信された災害関連情報が蓄積された結果、地域サーバ格納部１２１には、例えば、図１０に示す災害関連情報が格納される。図１０において、災害関連情報は、レコードを一意に特定するためのＩＤと、画像と、送信場所を示す場所情報（項目名：送信場所）と、ユーザ関連情報（項目名：ユーザ）と、送信日時を示す日時情報（項目名：日時）とが対応付いている。また、図１０の災害関連情報は、送信日時の昇順にソートされている。また、図１０の画像は、画像を識別する識別子であり、いわゆるファイル名である。
【０２６８】
（例１−２）
本例において、端末装置１１が、地域サーバ装置１２から災害関連情報を受信し、出力する例について説明する。なお、本例において、地域サーバ装置１２が備える地域サーバ格納部１２１には、図１０に示す災害関連情報が格納されているものとする。
【０２６９】
まず、例１−１と同様に、ユーザＡが、地域サーバＡから半径５０ｍの範囲内において、携帯端末Ａを操作し、地域サーバＡが保持している災害関連情報のうち、最新の５件の災害関連情報を閲覧するための操作を行ったとする。すると、端末受付部１１２は、災害関連情報要求指示を受け付ける。
【０２７０】
当該災害関連情報要求指示は、地域サーバＡを識別する送信先識別子と、携帯端末Ａを識別する送信元識別子と、取得条件とを有しているものとする。当該送信先識別子は、地域サーバＡを識別する地域サーバ識別子「ＬｏｃａｌＳｅｒｖｅｒＡ」である。また、送信元識別子は、携帯端末ＡのＩＰアドレスであり「２０２．１４．２１５．１４」であるものとする。また、当該ＩＰアドレスは、通常、携帯端末Ａの予め決められた記憶領域に格納されている。また、取得条件は、「最新５件」であるものとする。当該取得条件は、地域サーバ格納部１２１に格納されている災害関連情報のうち、最新の５件であること（最新のもの５件を取得すること）を意味する。
【０２７１】
次に、端末送信部１１３は、上記の送信先識別子「ＬｏｃａｌＳｅｒｖｅｒＡ」で識別される地域サーバＡに、上記の災害関連情報要求指示を送信する。
【０２７２】
次に、地域サーバＡの地域サーバ受信部１２２は、上記の災害関連情報要求指示を受信する。そして、地域サーバ取得部１２５は、当該災害関連情報要求指示が有する取得条件「最新５件」に合致する図１０の「ＩＤ＝０５４」から「ＩＤ＝０５８」までの５個の災害関連情報を取得する。このとき、地域サーバ取得部１２５は、当該各災害関連情報に対応付いている画像などの情報と共に、災害関連情報を取得する。
【０２７３】
次に、地域サーバ送信部１２６は、上記で取得した５個の災害関連情報を、送信元識別子「２０２．１４．２１５．１４」で識別される携帯端末Ａに送信する。
【０２７４】
次に、携帯端末Ａの端末受信部１１４は、上記の５個の災害関連情報を受信する。そして、端末出力部１１５は、当該受信した５個の災害関連情報を出力する。このときの様子は、例えば、図１１である。図１１において、端末出力部１１５は、送信日時の降順に、災害関連情報を出力している。また、図１１において、携帯端末Ａの画面の大きさの都合上、端末受信部１１４が受信した５個の災害関連情報のうち、最新の２個の災害関連情報が出力されている。
【０２７５】
（例１−３）
本例において、端末装置１１が、地域サーバ装置１２に評価情報を送信し、地域サーバ装置１２が、受信した評価情報を蓄積する例について説明する。なお、本例において、地域サーバ格納部１２１には、図１０に示す災害関連情報が格納されているものとする。
【０２７６】
まず、例１−２と同様に、ユーザＣが、地域サーバＡから半径５０ｍの範囲内にいるとする。そして、携帯端末Ｃの端末出力部１１５が、図１１の様に、災害関連情報を出力しているものとする。また、このとき、図１１において、出力されている各災害関連情報に対する評価情報を受け付けるためのインターフェースも出力されているものとする。そして、ユーザＣが、携帯端末Ｃを用いて、図１１において出力されている上段の災害関連情報に対して、良い評価であることを入力するための操作を行ったとする。すると、端末受付部１１２は、評価情報を受け付ける。
【０２７７】
当該評価情報は、例えば、良評価ユーザ数を１インクリメントすることを示す「良評価ユーザ数：＋１」などである。また、当該評価情報は、例えば、良評価ユーザ数を１インクリメントしたあとの良評価ユーザ数を示す「良評価ユーザ数：６」などであってもよい。また、当該評価情報には、地域サーバＡを識別する送信先識別子と、携帯端末Ｃを識別する送信元識別子と、災害関連情報識別子と、評価した日時を示す日時情報とが対応付いているものとする。当該送信先識別子は、地域サーバＡを識別する地域サーバ識別子「ＬｏｃａｌＳｅｒｖｅｒＡ」である。また、送信元識別子は、携帯端末ＣのＩＰアドレスであり「２０２．１４．２１６．２５」であるものとする。また、当該ＩＰアドレスは、通常、携帯端末Ｃの予め決められた記憶領域に格納されている。また、当該災害関連情報識別子は、「０５８」である。
【０２７８】
次に、端末送信部１１３は、上記の送信先識別子「ＬｏｃａｌＳｅｒｖｅｒＡ」で識別される地域サーバＡに、上記の評価情報を送信する。
【０２７９】
次に、地域サーバＡの地域サーバ受信部１２２は、上記の評価情報を受信する。そして、地域サーバ蓄積部１２３は、図１０において、当該評価情報に対応付いている災害関連情報識別子「０５８」により識別される災害関連情報に対応付けて、当該評価情報を蓄積する。また、このとき、地域サーバ蓄積部１２３は、当該評価情報に対応する日時情報も対応付けて蓄積する。
【０２８０】
例えば、図１０において、「ＩＤ＝０５８」の災害関連情報に、良評価ユーザ数が対応付いていないとする。この場合において、当該評価情報が「良評価ユーザ数：＋１」であるとする。この様な場合、地域サーバ蓄積部１２３は、良評価ユーザ数「１」を、図１０の「ＩＤ＝０５８」の災害関連情報に対応付けて蓄積する。また、当該評価情報が「良評価ユーザ数：６」であるとする。この様な場合、地域サーバ蓄積部１２３は、良評価ユーザ数「６」を、図１０の「ＩＤ＝０５８」の災害関連情報に対応付けて蓄積する。
【０２８１】
また、例えば、図１０において、「ＩＤ＝０５８」の災害関連情報に、良評価ユーザ数が対応付いているとする。この場合において、当該評価情報が「良評価ユーザ数：＋１」であるとする。この様な場合、地域サーバ蓄積部１２３は、図１０の「ＩＤ＝０５８」の災害関連情報に対応付いている良評価ユーザ数を、１インクリメントする。また、当該評価情報が、当該評価情報が「良評価ユーザ数：６」であるとする。この様な場合、地域サーバ蓄積部１２３は、良評価ユーザ数「６」を、図１０の「ＩＤ＝０５８」の災害関連情報に対応付いている良評価ユーザ数に上書きして蓄積する。
【０２８２】
また、例えば、上記と同様に、ユーザＣが、図１１において出力されている下段の災害関連情報に対して、悪い評価であることを入力するための操作を行ったとする。すると、端末受付部１１２は、評価情報を受け付ける。当該評価情報は、例えば、悪評価ユーザ数を１インクリメントすることを示す「良評価ユーザ数：＋１」などである。また、当該評価情報は、例えば、悪評価ユーザ数を１インクリメントしたあとの悪評価ユーザ数を示す「良評価ユーザ数：３」などであってもよい。また、当該評価情報には、地域サーバＡを識別する送信先識別子と、携帯端末Ｃを識別する送信元識別子と、災害関連情報識別子と、評価した日時を示す日時情報とが対応付いているものとする。当該災害関連情報識別子は、「０５７」である。
【０２８３】
次に、端末送信部１１３は、上記の送信先識別子「ＬｏｃａｌＳｅｒｖｅｒＡ」で識別される地域サーバＡに、上記の評価情報を送信する。
【０２８４】
次に、地域サーバＡの地域サーバ受信部１２２は、上記の評価情報を受信する。そして、地域サーバ蓄積部１２３は、図１０において、当該評価情報に対応付いている災害関連情報識別子「０５７」により識別される災害関連情報に対応付けて、当該評価情報を蓄積する。また、このとき、地域サーバ蓄積部１２３は、当該評価情報に対応する日時情報も対応付けて蓄積する。
【０２８５】
例えば、図１０において、「ＩＤ＝０５７」の災害関連情報に、悪評価ユーザ数が対応付いていないとする。この場合において、当該評価情報が「悪評価ユーザ数：＋１」であるとする。この様な場合、地域サーバ蓄積部１２３は、悪評価ユーザ数「１」を、図１０の「ＩＤ＝０５７」の災害関連情報に対応付けて蓄積する。また、当該評価情報が「悪評価ユーザ数：３」であるとする。この様な場合、地域サーバ蓄積部１２３は、悪評価ユーザ数「３」を、図１０の「ＩＤ＝０５７」の災害関連情報に対応付けて蓄積する。
【０２８６】
また、例えば、図１０において、「ＩＤ＝０５７」の災害関連情報に、悪評価ユーザ数が対応付いているとする。この場合において、当該評価情報が「悪評価ユーザ数：＋１」であるとする。この様な場合、地域サーバ蓄積部１２３は、図１０の「ＩＤ＝０５７」の災害関連情報に対応付いている悪評価ユーザ数を、１インクリメントする。また、当該評価情報が、当該評価情報が「悪評価ユーザ数：３」であるとする。この様な場合、地域サーバ蓄積部１２３は、悪評価ユーザ数「３」を、図１０の「ＩＤ＝０５７」の災害関連情報に対応付いている悪評価ユーザ数に上書きして蓄積する。
【０２８７】
上記の様にして、携帯端末から送信された評価情報が蓄積された結果、地域サーバ格納部１２１には、例えば、図１２の様に、災害関連情報に対応付いて評価情報が格納される。図１２において、一の災害関連情報には、良評価ユーザ数（項目名：良評価）と、悪評価ユーザ数（項目名：悪評価）とのそれぞれを示す評価情報と、評価した日時のうち最新の日時を示す日時情報（項目名：最終評価日時）とが対応付いている。なお、図１２においては、図１０において示した情報のうちの一部を省略している。
【０２８８】
（例１−４）
本例において、第一のスコアを算出する例について説明する。なお、本例において、地域サーバ格納部１２１には、図１２に示す災害関連情報が格納されているものとする。また、地域サーバスコア算出部１２７は、第一のスコアを算出するための算出式「ＣＬＩＰ（（＄ｇｏｏｄ＄−＄ｂａｄ＄）×１００，１００，０）」を保持しているものとする。当該算出式は、良評価ユーザ数から悪評価ユーザ数を減算した値に１００を乗じた値を算出し、当該値が１００を超える場合は１００に、当該値が０未満である場合は０にすることを意味する。従って、当該算出式において、「＄ｇｏｏｄ＄」は、良評価ユーザ数を代入するための変数であり、「＄ｂａｄ＄」は、悪評価ユーザ数を代入するための変数である。
【０２８９】
まず、毎時０分（１時間ごと）に、地域サーバ格納部１２１に格納されている災害関連情報のうち、スコアが予め決められた条件を満たすほど高い災害関連情報以外の災害関連情報を削除すると、予め決められているとする。そして、例えば、現在の時刻が「１６：００：００」になったとする。すると、地域サーバ削除部１２８は、地域サーバ格納部１２１に格納されている１以上の各災害関連情報について、第一のスコアを算出することを、地域サーバスコア算出部１２７に指示する。
【０２９０】
次に、地域サーバスコア算出部１２７は、図１２の各災害関連情報について、上記の算出式を用いて第一のスコアを算出する。例えば、図１２の「ＩＤ＝０５８」について、地域サーバスコア算出部１２７は、「ＣＬＩＰ（（６−１）×１００，１００，０）」を計算し、第一のスコア「５０」を算出する。また、例えば、図１２の「ＩＤ＝０５７」について、地域サーバスコア算出部１２７は、「ＣＬＩＰ（（４−３）×１００，１００，０）」を計算し、第一のスコア「１０」を算出する。また、例えば、図１２の「ＩＤ＝０５６」について、地域サーバスコア算出部１２７は、「ＣＬＩＰ（（２−８）×１００，１００，０）」を計算し、第一のスコア「０」を算出する。
【０２９１】
上記の様にして、図１２の各災害関連情報に対して算出した第一のスコアは、例えば、図１３である。
【０２９２】
次に、地域サーバスコア算出部１２７は、算出した第一のスコアに対して、最終評価日時からの経過時間に応じた係数を乗じて、当該第一のスコアを補正する。当該係数は、例えば、最終評価日時からの経過日数の逆数であるものとする。また、現在の日付は、「２０１３／０２／１７」であるものとする。
【０２９３】
例えば、図１３の「ＩＤ＝０５８」について、最終評価日時は「２０１３／０２／１６  １６：１２：２８」である。この場合、経過日数は、「１」である。従って、地域サーバスコア算出部１２７は、算出済みの第一のスコア「５０」に係数「１／１」を乗じて、補正後の第一のスコア「５０」を算出する。
【０２９４】
また、例えば、図１３の「ＩＤ＝０１７」について、最終評価日時は「２０１３／０２／０８  １８：４２：２３」である。この場合、経過日数は、「９」である。従って、地域サーバスコア算出部１２７は、算出済みの第一のスコア「４０」に係数「１／９」を乗じて、補正後の第一のスコア「４」を算出する。
【０２９５】
上記の様にして、図１３の各第一のスコアを用いて算出した補正後の第一のスコアは、例えば、図１４である。
【０２９６】
（例１−５）
本例において、第二のスコアを算出する例について説明する。なお、本例において、地域サーバ格納部１２１には、図１０に示す災害関連情報が格納されているものとする。また、地域サーバスコア算出部１２７は、第二のスコアを算出するための算出式「ＣＬＩＰ（（＄ｎｕｍｂｅｒ＄／５）×１００，１００，０）」を保持しているものとする。当該算出式は、連続類似数を５で割った値に１００を乗じた値を算出し、当該値が１００を超える場合は１００に、当該値が０未満である場合は０にすることを意味する。従って、当該算出式において、「＄ｎｕｍｂｅｒ＄」は、連続類似数を代入するための変数である。また、第二のスコアの算出を開始するタイミングは、例１−４と同様であるものとする。
【０２９７】
まず、地域サーバスコア算出部１２７は、図１０の災害関連情報について、送信日時が新しいものから順に、連続類似数を算出する。
【０２９８】
例えば、図１０の「ＩＤ＝０５８」の災害関連情報に対する連続類似数を算出する場合、地域サーバスコア算出部１２７は、まず、図１０の「ＩＤ＝０５８」の災害関連情報「△△交差点の信号、消えてる！！」と、図１０の「ＩＤ＝０５７」の災害関連情報「△△交差点の信号がついてない！！」とが類似するか否かを判断する。ここで、地域サーバスコア算出部１２７は、「類似する」と判断したとする。そして、地域サーバスコア算出部１２７は、図１０の「ＩＤ＝０５８」の災害関連情報に対する連続類似数を１インクリメントし、「１」を算出する。
【０２９９】
次に、地域サーバスコア算出部１２７は、図１０の「ＩＤ＝０５８」の災害関連情報「△△交差点の信号、消えてる！！」と、図１０の「ＩＤ＝０５６」の災害関連情報「△△交差点の信号って消えてる！？」とが類似するか否かを判断する。ここで、地域サーバスコア算出部１２７は、「類似する」と判断したとする。そして、地域サーバスコア算出部１２７は、図１０の「ＩＤ＝０５８」の災害関連情報に対する連続類似数を１インクリメントし、「２」を算出する。
【０３００】
次に、地域サーバスコア算出部１２７は、図１０の「ＩＤ＝０５８」の災害関連情報「△△交差点の信号、消えてる！！」と、図１０の「ＩＤ＝０５５」の災害関連情報「△△交差点、信号が消えてます。」とが類似するか否かを判断する。ここで、地域サーバスコア算出部１２７は、「類似する」と判断したとする。そして、地域サーバスコア算出部１２７は、図１０の「ＩＤ＝０５８」の災害関連情報に対する連続類似数を１インクリメントし、「３」を算出する。
【０３０１】
次に、地域サーバスコア算出部１２７は、図１０の「ＩＤ＝０５８」の災害関連情報「△△交差点の信号、消えてる！！」と、図１０の「ＩＤ＝０５４」の災害関連情報「○○橋が復旧しています。」とが類似するか否かを判断する。ここで、地域サーバスコア算出部１２７は、「類似しない」と判断したとする。そして、地域サーバスコア算出部１２７は、図１０の「ＩＤ＝０５８」の災害関連情報に対する連続類似数のカウントを終了する。
【０３０２】
以上より、地域サーバスコア算出部１２７は、図１０の「ＩＤ＝０５８」の災害関連情報に対して、連続類似数「３」を算出する。
【０３０３】
また、上記の様にして、図１０の各災害関連情報に対して算出した連続類似数は、例えば、図１５である。なお、図１５においては、図１０において示した情報のうちの一部を省略している。
【０３０４】
次に、地域サーバスコア算出部１２７は、図１５の各災害関連情報について、上記の算出式を用いて第二のスコアを算出する。例えば、図１５の「ＩＤ＝０５８」について、地域サーバスコア算出部１２７は、「ＣＬＩＰ（（３／５）×１００，１００，０）」を計算し、第二のスコア「８０」を算出する。また、例えば、図１５の「ＩＤ＝０５７」について、地域サーバスコア算出部１２７は、「ＣＬＩＰ（（２／５）×１００，１００，０）」を計算し、第二のスコア「４０」を算出する。また、例えば、図１５の「ＩＤ＝０５６」について、地域サーバスコア算出部１２７は、「ＣＬＩＰ（（１／５）×１００，１００，０）」を計算し、第二のスコア「２０」を算出する。
【０３０５】
上記の様にして、図１５の各災害関連情報に対して算出した第二のスコアは、例えば、図１６である。
【０３０６】
次に、地域サーバスコア算出部１２７は、第二のスコアが対象条件を満たすほど高い災害関連情報が示す災害の状況とは異なる状況を示す災害関連情報について、当該災害関連情報の第二のスコアを「０」にする。また、当該対象条件は、「第二のスコア≧８０」であるものとする。また、このとき、地域サーバスコア算出部１２７は、通常、送信日時が新しい災害関連情報から順に、当該処理を行う。
【０３０７】
例えば、図１６の「ＩＤ＝０５４」について、地域サーバスコア算出部１２７は、対象条件「第二のスコア≧８０」を満たすと判断する。
【０３０８】
次に、地域サーバスコア算出部１２７は、図１６の「ＩＤ＝０５４」の送信日時よりも送信日時が古い災害関連情報について、送信日時の降順に、当該「ＩＤ＝０５４」の災害関連情報が示す災害の状況とは異なる状況を示す災害関連情報であるか否かを判断する。
【０３０９】
例えば、地域サーバスコア算出部１２７は、図１６の「ＩＤ＝０５４」の災害関連情報「○○橋が復旧しています。」と、図１６の「ＩＤ＝０５３」の災害関連情報「○○橋、渡れます。」とが、互いに異なる状況を示すか否かを判断する。ここで、地域サーバスコア算出部１２７は、「示さない」と判断したとする。そして、地域サーバスコア算出部１２７は、当該「ＩＤ＝０５３」の第二のスコアに対しては、何も処理を行わない。
【０３１０】
次に、地域サーバスコア算出部１２７は、図１６の「ＩＤ＝０５４」の災害関連情報「○○橋が復旧しています。」と、図１６の「ＩＤ＝０５２」の災害関連情報「○○橋、通行可です。」とが、互いに異なる状況を示すか否かを判断する。ここで、地域サーバスコア算出部１２７は、「示さない」と判断したとする。そして、地域サーバスコア算出部１２７は、当該「ＩＤ＝０５２」の第二のスコアに対しては、何も処理を行わない。
【０３１１】
次に、地域サーバスコア算出部１２７は、上記の様に順に判断を行い、図１６の「ＩＤ＝０５４」の災害関連情報「○○橋が復旧しています。」と、図１６の「ＩＤ＝０１４」の災害関連情報「○○橋、通行不可です。」とが、互いに異なる状況を示すか否かを判断する。ここで、地域サーバスコア算出部１２７は、「示す」と判断したとする。そして、地域サーバスコア算出部１２７は、当該「ＩＤ＝０１４」の第二のスコアを「０」にする。
【０３１２】
次に、地域サーバスコア算出部１２７は、図１６の「ＩＤ＝０５４」の災害関連情報「○○橋が復旧しています。」と、図１６の「ＩＤ＝０１３」の災害関連情報「○○橋が壊れてる！！」とが、互いに異なる状況を示すか否かを判断する。ここで、地域サーバスコア算出部１２７は、「示す」と判断したとする。そして、地域サーバスコア算出部１２７は、当該「ＩＤ＝０１３」の第二のスコアを「０」にする。
【０３１３】
上記の様にして、図１６の各第二のスコアに対して、異なる状況を示すか否かの判断結果を用いて算出した補正後の第二のスコアは、例えば、図１７である。
【０３１４】
（例１−６）
本例において、第三のスコアを算出する例について説明する。なお、本例において、地域サーバ格納部１２１には、図１０に示す災害関連情報が格納されているものとする。また、地域サーバスコア算出部１２７は、第三のスコアを算出するための算出式「ＣＬＩＰ（（＄ｕｓｅｒｓ＄／４）×１００＋＄ｉｍａｇｅ＄×２０−＄ｒａｔｅ＿ｉｍａｇｅ＄−＄ｒａｔｅ＿ｍｅｔａ＄），１００，０）」を保持しているものとする。当該算出式は、ユーザ関連情報の数を４で割った値に１００を乗じた値と、添付画像の有無に２０を乗じた値とを加算し、当該値から、添付画像の加工の度合と、メタデータの改ざんの割合とを減算した値を算出し、当該値が１００を超える場合は１００に、当該値が０未満である場合は０にすることを意味する。従って、当該算出式において、「＄ｕｓｅｒｓ＄」は、ユーザ関連情報の数を代入するための変数であり、「＄ｉｍａｇｅ＄」は、添付画像の有無を代入するための変数であり、「＄ｒａｔｅ＿ｉｍａｇｅ＄」は、添付画像の加工の度合を代入するための変数であり、「＄ｒａｔｅ＿ｍｅｔａ＄」は、メタデータの改善の度合を代入するための変数である。なお、添付画像の有無は、添付画像がある場合は「１」であり、添付画像がない場合は「０」である。また、第三のスコアの算出を開始するタイミングは、例１−４と同様であるものとする。
【０３１５】
まず、地域サーバスコア算出部１２７は、図１０の災害関連情報について、送信日時が新しいものから順に、ユーザ関連情報数などの判断結果情報を取得する。
【０３１６】
例えば、図１０の「ＩＤ＝０５８」について、ユーザ関連情報は、「Ｕｓｅｒ０８」と「○○県××市」である。従って、地域サーバスコア算出部１２７は、ユーザ関連情報の数「２」を取得する。また、同様に、画像が対応付いている。従って、地域サーバスコア算出部１２７は、添付画像の有無「１」を取得する。また、同様に、地域サーバスコア算出部１２７は、添付画像について、加工の度合、およびメタデータの改ざんの割合を判断する。そして、地域サーバスコア算出部１２７は、地域サーバスコア算出部１２７は、添付画像の加工の度合と、メタデータの改ざんの割合とについて、それぞれ、「０％」、「０％」を取得したものとする。
【０３１７】
また、例えば、図１０の「ＩＤ＝０１１」について、ユーザ関連情報は、「Ｕｓｅｒ０１」と「○○県××市」である。従って、地域サーバスコア算出部１２７は、ユーザ関連情報の数「２」を取得する。また、同様に、画像が対応付いている。従って、地域サーバスコア算出部１２７は、添付画像の有無「１」を取得する。また、同様に、地域サーバスコア算出部１２７は、添付画像について、加工の度合、およびメタデータの改ざんの割合を判断する。そして、地域サーバスコア算出部１２７は、地域サーバスコア算出部１２７は、添付画像の加工の度合と、メタデータの改ざんの割合とについて、それぞれ、「１０％」、「２０％」を取得したものとする。
【０３１８】
上記の様にして、図１０の各災害関連情報に対して取得した判断結果情報は、例えば、図１８である。図１８において、「ユーザ情報数」は、ユーザ関連情報の数である。また、「画像有無」は、添付画像の有無である。また、「画像加工度」は、添付画像の加工の度合である。また、「改ざん率」は、メタデータの改ざんの割合である。なお、図１８においては、図１０において示した情報のうちの一部を省略している。
【０３１９】
次に、地域サーバスコア算出部１２７は、図１８の各災害関連情報について、上記の算出式を用いて第三のスコアを算出する。例えば、図１８の「ＩＤ＝０５８」について、地域サーバスコア算出部１２７は、「ＣＬＩＰ（（２／４）×１００＋１×２０−０−０），１００，０）」を計算し、第三のスコア「７０」を算出する。また、例えば、図１８の「ＩＤ＝０１１」について、地域サーバスコア算出部１２７は、「ＣＬＩＰ（（２／４）×１００＋１×２０−１０−２０），１００，０）」を計算し、第三のスコア「３０」を算出する。
【０３２０】
上記の様にして、図１８の各災害関連情報に対して算出した第三のスコアは、例えば、図１９である。
【０３２１】
次に、地域サーバスコア算出部１２７は、算出した第三のスコアに対して、送信日時からの経過時間に応じた係数を乗じて、当該第三のスコアを補正する。当該係数は、例えば、送信日時からの経過日数の逆数であるものとする。また、現在の日付は、「２０１３／０２／１７」であるものとする。
【０３２２】
例えば、図１９の「ＩＤ＝０５８」について、送信日時は「２０１３／０２／１５  １２：４５：３５」である。この場合、経過日数は、「２」である。従って、地域サーバスコア算出部１２７は、算出済みの第三のスコア「７０」に係数「１／２」を乗じて、補正後の第三のスコア「３５」を算出する。
【０３２３】
また、例えば、図１９の「ＩＤ＝０１１」について、送信日時は「２０１３／０１／２８  １０：３３：２４」である。この場合、経過日数は、「２０」である。従って、地域サーバスコア算出部１２７は、算出済みの第三のスコア「３０」に係数「１／２０」を乗じて、補正後の第三のスコア「２」を算出する。
【０３２４】
上記の様にして、図１９の各第三のスコアを用いて算出した補正後の第三のスコアは、例えば、図２０である。
【０３２５】
（例１−７）
本例において、第四のスコアを算出する例について説明する。なお、本例において、地域サーバスコア算出部１２７は、第一のスコア、第二のスコア、第三のスコアの平均を、第四のスコアとして算出するものとする。また、地域サーバ格納部１２１には、図１０に示す災害関連情報が格納されているものとする。また、第四のスコアの算出を開始するタイミングは、例１−４と同様であるものとする。
【０３２６】
まず、地域サーバスコア算出部１２７は、図１０の災害関連情報について、送信日時が新しいものから順に、第一のスコア、第二のスコア、第三のスコアを算出する。当該算出された３種類のスコアは、例えば、それぞれ、図１４、図１７、図２０である。
【０３２７】
次に、地域サーバスコア算出部１２７は、図１０の各災害関連情報について、図１４、図１７、図２０の３種類のスコアを用いて第四のスコアを算出する。例えば、図１０の「ＩＤ＝０５８」について、地域サーバスコア算出部１２７は、「（５０＋８０＋３５）／３」を計算し、第四のスコア「５５」を算出する。また、例えば、図１０の「ＩＤ＝０１１」について、地域サーバスコア算出部１２７は、「（１０＋０＋２）／３」を計算し、第四のスコア「４」を算出する。
【０３２８】
上記の様にして、図１０の各災害関連情報に対して算出した第四のスコアは、例えば、図２１である。図２１において、各災害関連情報には、第一のスコア、第二のスコア、第三のスコア、第四のスコアが対応付いている。
【０３２９】
（例１−８）
本例において、地域サーバ格納部１２１から、災害関連情報を削除する例について説明する。なお、本例において、地域サーバ格納部１２１には、図２１に示す災害関連情報が格納されているものとする。また、地域サーバ削除部１２８は、第四のスコアを用いて、削除するか否かを判断するものとする。また、不削除条件は、「スコア≧５０」であるものとする。
【０３３０】
地域サーバスコア算出部１２７は、図２１の災害関連情報について、送信日時が新しいものから順に、スコアが不削除条件を満たすか否かを判断し、満たさない場合に、当該災害関連情報を削除する。
【０３３１】
例えば、図２１の「ＩＤ＝０５８」について、地域サーバスコア算出部１２７は、第四のスコア「５５」が不削除条件を満たすか否かを判断する。そして、地域サーバスコア算出部１２７は、当該スコアは不削除条件を満たすと判断し、当該災害関連情報を削除しない。
【０３３２】
次に、図２１の「ＩＤ＝０５７」について、地域サーバスコア算出部１２７は、第四のスコア「２０」が不削除条件を満たすか否かを判断する。そして、地域サーバスコア算出部１２７は、当該スコアは不削除条件を満たさないと判断し、当該災害関連情報を削除する。
【０３３３】
次に、図２１の「ＩＤ＝０５６」について、地域サーバスコア算出部１２７は、第四のスコア「７」が不削除条件を満たすか否かを判断する。そして、地域サーバスコア算出部１２７は、当該スコアは不削除条件を満たさないと判断し、当該災害関連情報を削除する。
【０３３４】
次に、図２１の「ＩＤ＝０５５」について、地域サーバスコア算出部１２７は、第四のスコア「７」が不削除条件を満たすか否かを判断する。そして、地域サーバスコア算出部１２７は、当該スコアは不削除条件を満たさないと判断し、当該災害関連情報を削除する。
【０３３５】
上記の様にして、図２１の災害関連情報から、不削除条件を満たさない災害関連情報を削除した結果は、例えば、図２２である。
【０３３６】
（例２：復旧時）
本例において、インフラ回線の復旧後において、基幹サーバが、各地域に設置された地域サーバから災害関連情報を受信したり、基幹サーバに保存されている災害関連情報を、ユーザが閲覧したりする例について説明する。
【０３３７】
まず、地域サーバＡの地域サーバ格納部１２１には、図２１の災害関連情報が格納されているものとする。また、地域サーバ通信可否判断部１２４は、定期的に、基幹サーバとの通信が可能であるか否かを判断しているものとする。
【０３３８】
次に、地域サーバ通信可否判断部１２４が、基幹サーバとの通信が可能であると判断したとする。すると、地域サーバ取得部１２５は、図２１の災害関連情報を取得する。そして、地域サーバ送信部１２６は、当該取得した図２１の災害関連情報を、基幹サーバに送信する。
【０３３９】
次に、基幹サーバの基幹サーバ受信部１３２は、図２１の災害関連情報を受信する。そして、基幹サーバ蓄積部１３３は、当該受信した図２１の災害関連情報を、基幹サーバ格納部１３１に蓄積する。
【０３４０】
上記の様にして、２以上の地域サーバから送信された災害関連情報が蓄積された結果、基幹サーバ格納部１３１には、例えば、図２３に示す災害関連情報が格納される。図２３において、災害関連情報に対応付いている情報は、図１０と同様であるので、説明を省略する。
【０３４１】
なお、端末装置１１が、基幹サーバ装置１３から災害関連情報を受信し、出力する例や、基幹サーバ格納部１３１に格納されている災害関連情報に対してスコアを算出する例、基幹サーバ格納部１３１に格納されている災害関連情報を削除する例などは、例１と同様であるので、説明を省略する。
【０３４２】
以上、本実施の形態による災害時情報システム１によれば、ユーザから送信された災害に関する情報のうち、信頼性の高い情報のみをユーザに提供することができる。
【０３４３】
また、本実施の形態による災害時情報システム１によれば、２種類以上のスコアを用いて、より精度の高いスコアを算出することができる。
【０３４４】
なお、本実施の形態において、第二のスコアの算出処理は、図２４に示すフローチャートであってもよい。
【０３４５】
（ステップＳ２４０１）地域サーバスコア算出部１２７は、地域サーバ格納部１２１に格納されている２以上の災害関連情報を用いて、１以上の類似グループを作成する。類似グループとは、互いに類似する１以上の災害関連情報の集合である。また、ここで、地域サーバスコア算出部１２７は、ｍ個の類似グループを作成したものとする。また、当該ｍ個の各類似グループは、１番目の類似グループ、２番目の類似グループ、３番目の類似グループ、・・・と順に、ｎ［１］個、ｎ［２］個、ｎ［３］個、・・・の災害関連情報を有しているものとする。
【０３４６】
（ステップＳ２４０２）地域サーバスコア算出部１２７は、カウンタｉに１をセットする。
【０３４７】
（ステップＳ２４０３）地域サーバスコア算出部１２７は、類似グループ［ｉ］が有するｎ［ｉ］個の災害関連情報を用いて、類似グループ［ｉ］の中心を算出する。
【０３４８】
（ステップＳ２４０４）地域サーバスコア算出部１２７は、類似グループ［ｉ］が有するｎ［ｉ］個の各災害関連情報と、ステップＳ２４０３で算出した中心との差分を算出する。
【０３４９】
（ステップＳ２４０５）地域サーバスコア算出部１２７は、カウンタｊに１をセットする。
【０３５０】
（ステップＳ２４０６）地域サーバスコア算出部１２７は、ステップＳ２４０４で算出した類似グループ［ｉ］が有するｊ番目の災害関連情報である災害関連情報［ｉ］［ｊ］についての差分［ｊ］が、ステップＳ２４０４で算出したｎ個の差分の中で最小であるか否かを判断する。最小である場合は、ステップＳ２４０７に進み、そうでない場合は、ステップＳ２４０９に進む。
【０３５１】
（ステップＳ２４０７）地域サーバスコア算出部１２７は、予め保持している第二のスコアを算出するための算出式が有する変数に、ｎ［ｉ］を代入する。
【０３５２】
（ステップＳ２４０８）地域サーバスコア算出部１２７は、ステップＳ２４０７でｎ［ｉ］を代入した算出式を用いて、災害関連情報［ｉ］［ｊ］に対する第二のスコア［ｉ］［ｊ］を算出する。
【０３５３】
（ステップＳ２４０９）地域サーバスコア算出部１２７は、第二のスコア［ｉ］［ｊ］に０をセットする。
【０３５４】
（ステップＳ２４１０）地域サーバスコア算出部１２７は、ｊがｎ［ｉ］であるか否かを判断する。ｎ［ｉ］である場合は、ステップＳ２４１２に進み、そうでない場合は、ステップＳ２４１１に進む。
【０３５５】
（ステップＳ２４１１）地域サーバスコア算出部１２７は、ｊを１インクリメントする。そして、ステップＳ２４０６に戻る。
【０３５６】
（ステップＳ２４１２）地域サーバスコア算出部１２７は、ｉがｍであるか否かを判断する。ｍである場合は、上位処理にリターンし、そうでない場合は、ステップＳ２４１３に進む。
【０３５７】
（ステップＳ２４１３）地域サーバスコア算出部１２７は、ｉを１インクリメントする。そして、ステップＳ２４０３に戻る。
【０３５８】
なお、図２４のフローチャートのステップＳ２４０１において、類似グループの作成の方法や手順などは、問わない。類似グループの作成は、例えば、ｘ−ｍｅａｎｓ法や、ｋ−ｍｅａｎｓ法などのいわゆるクラスタリングの手法などを用いて行う。
【０３５９】
また、図２４のフローチャートのステップＳ２４０３において、類似グループ［ｉ］の中心とは、例えば、類似グループ［ｉ］が有するｎ［ｉ］個の災害関連情報の平均であってもよい。また、類似グループ［ｉ］の中心は、例えば、類似グループ［ｉ］が有するｎ［ｉ］個の災害関連情報のうち、他のｎ［ｉ］−１個の災害関連情報との類似度の合計が最大である一の災害関連情報であってもよい。「類似度の合計が最大である」とは、例えば、「距離の合計が最小である」ことであってもよい。
【０３６０】
また、図２４のフローチャートのステップＳ２４０４において、差分は、例えば、類似度であってもよい。この場合、図２４のフローチャートのステップＳ２４０６において、地域サーバスコア算出部１２７は、類似度が最大であるか否かを判断する。そして、最大である場合は、ステップＳ２４０７に進み、そうでない場合は、ステップＳ２４０９に進む。
【０３６１】
また、上記各実施の形態において、一の装置に存在する２以上の通信手段は、物理的に一の媒体で実現されてもよいことは言うまでもない。
【０３６２】
また、上記各実施の形態における災害時情報システムは、例えば、スタンドアロンの装置であってもよいし、サーバ・クライアントシステムにおけるサーバ装置であってもよい。
【０３６３】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０３６４】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０３６５】
また、上記各実施の形態における災害時情報システムを構成する端末装置を実現するソフトウェアは、例えば、以下のようなプログラムである。つまり、このプログラムは、コンピュータを、地域サーバ装置との通信が可能であるか否かを判断する端末通信可否判断部と、災害関連情報と、災害関連情報を要求する指示である災害関連情報要求指示とを受け付ける端末受付部と、前記端末通信可否判断部が通信可能であると判断した場合において、前記端末受付部が災害関連情報を受け付けた場合は、当該災害関連情報を、地域サーバ装置に送信し、前記端末受付部が災害関連情報要求指示を受け付けた場合は、当該災害関連情報要求指示を、地域サーバ装置に送信する端末送信部と、前記災害関連情報要求指示の送信に応じて、１以上の災害関連情報を、地域サーバ装置から受信する端末受信部と、前記端末受信部が受信した１以上の災害関連情報を出力する端末出力部として機能させるためのプログラムである。
【０３６６】
また、上記各実施の形態における災害時情報システムを構成する地域サーバ装置を実現するソフトウェアは、例えば、以下のようなプログラムである。つまり、このプログラムは、災害の発生に伴う状況を示す情報である１以上の災害関連情報が格納される地域サーバ格納部にアクセス可能なコンピュータを、災害関連情報と、災害関連情報を要求する指示である災害関連情報要求指示とを、２以上の端末装置から受信する地域サーバ受信部と、前記地域サーバ受信部が災害関連情報を受信した場合に、当該災害関連情報を、前記地域サーバ格納部に蓄積する地域サーバ蓄積部と、前記地域サーバ受信部が災害関連情報要求指示を受信した場合に、当該災害関連情報要求指示に対応する１以上の災害関連情報を、前記地域サーバ格納部から取得する地域サーバ取得部と、前記地域サーバ取得部が取得した１以上の災害関連情報を、前記災害関連情報要求指示を送信した端末装置に送信する地域サーバ送信部と、前記地域サーバ格納部に２以上の災害関連情報が格納されている場合に、当該２以上の災害関連情報を用いて、当該２以上の各災害関連情報の信頼性を示すスコアを算出する地域サーバスコア算出部と、前記地域サーバスコア算出部が算出したスコアが予め決められた条件を満たすほど高い災害関連情報以外の災害関連情報を、前記地域サーバ格納部から削除する地域サーバ削除部として機能させるためのプログラムである。
【０３６７】
また、上記各実施の形態における災害時情報システムを構成する基幹サーバ装置を実現するソフトウェアは、例えば、以下のようなプログラムである。つまり、このプログラムは、災害の発生に伴う状況を示す情報である１以上の災害関連情報が格納される基幹サーバ格納部にアクセス可能なコンピュータを、災害関連情報を、２以上の地域サーバ装置から受信し、災害関連情報要求指示を、１以上の端末装置から受信する基幹サーバ受信部と、前記基幹サーバ受信部が災害関連情報を受信した場合に、当該災害関連情報を、前記基幹サーバ格納部に蓄積する基幹サーバ蓄積部と、前記基幹サーバ受信部が災害関連情報要求指示を受信した場合に、当該災害関連情報要求指示に対応する１以上の災害関連情報を、前記基幹サーバ格納部から取得する基幹サーバ取得部と、前記基幹サーバ取得部が取得した１以上の災害関連情報を、前記災害関連情報要求指示を送信した端末装置に送信する基幹サーバ送信部と、前記基幹サーバ格納部に格納されている１以上の災害関連情報を用いて、当該１以上の各災害関連情報の信頼性を示すスコアを算出する基幹サーバスコア算出部と、前記基幹サーバスコア算出部が算出したスコアが予め決められた条件を満たすほど高い災害関連情報以外の災害関連情報を、前記基幹サーバ格納部から削除する基幹サーバ削除部として機能させるためのプログラムである。
【０３６８】
なお、上記プログラムにおいて、上記プログラムが実現する機能には、ハードウェアでしか実現できない機能は含まれない。
【０３６９】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０３７０】
また、上記プログラムを実行するコンピュータは、単数であってもよいし、複数であってもよい。つまり、集中処理を行ってもよいし、あるいは分散処理を行ってもよい。
【０３７１】
また、図２５は、前述のプログラムを実行して、前述の実施の形態の災害時情報システム等を実現するコンピュータシステム９の概観図である。前述の実施の形態は、コンピュータハードウェア、およびその上で実行されるコンピュータプログラムで実現され得る。
【０３７２】
図２５において、コンピュータシステム９は、ＣＤ−ＲＯＭドライブ９０１１、ＦＤドライブ９０１２を含むコンピュータ９０１と、キーボード９０２と、マウス９０３と、モニタ９０４とを備える。
【０３７３】
図２６は、コンピュータシステム９のブロック図である。図２６において、コンピュータ９０１は、ＣＤ−ＲＯＭドライブ９０１１、ＦＤドライブ９０１２に加えて、ＭＰＵ９０１３と、ブートアッププログラム等のプログラムを記憶するためのＲＯＭ９０１４と、ＭＰＵ９０１３に接続され、アプリケーションプログラムの命令を一時的に記憶するとともに一時記憶空間を提供するためのＲＡＭ９０１５と、アプリケーションプログラム、システムプログラム、およびデータを記憶するためのハードディスク９０１６と、ＣＤ−ＲＯＭドライブ９０１１、ＦＤドライブ９０１２、ＭＰＵ９０１３等を相互に接続するバス９０１７とを備える。ここでは図示しないが、コンピュータ９０１は、さらに、ＬＡＮへの接続を提供するネットワークカードを備えていてもよい。
【０３７４】
コンピュータシステム９に、前述の実施の形態の災害時情報システム等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０３７５】
プログラムは、コンピュータ９０１に、前述の実施の形態の災害時情報システム等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０３７６】
本発明は、以上の実施の形態に限定されることなく、種々の変更が可能であり、それらも本発明の範囲内に包含されるものであることは言うまでもない。
【産業上の利用可能性】
【０３７７】
以上のように、本発明にかかる災害時情報システムは、ユーザから送信された災害に関する情報のうち、信頼性の高い情報のみをユーザに提供することができるという効果を有し、災害時の掲示板サービス等として有用である。
【符号の説明】
【０３７８】
１  災害時情報システム
１１  端末装置
１２  地域サーバ装置
１３  基幹サーバ装置
１１１  端末通信可否判断部
１１２  端末受付部
１１３  端末送信部
１１４  端末受信部
１１５  端末出力部
１２１  地域サーバ格納部
１２２  地域サーバ受信部
１２３  地域サーバ蓄積部
１２４  地域サーバ通信可否判断部
１２５  地域サーバ取得部
１２６  地域サーバ送信部
１２７  地域サーバスコア算出部
１２８  地域サーバ削除部
１３１  基幹サーバ格納部
１３２  基幹サーバ受信部
１３３  基幹サーバ蓄積部
１３４  基幹サーバ取得部
１３５  基幹サーバ送信部
１３６  基幹サーバスコア算出部
１３７  基幹サーバ削除部
【図１】
2014170434.tif 000003
【図２】
2014170434.tif 000004
【図３】
2014170434.tif 000005
【図４】
2014170434.tif 000006
【図５】
2014170434.tif 000007
【図６】
2014170434.tif 000008
【図７】
2014170434.tif 000009
【図８】
2014170434.tif 000010
【図９】
2014170434.tif 000011
【図１０】
2014170434.tif 000012
【図１２】
2014170434.tif 000013
【図１３】
2014170434.tif 000014
【図１４】
2014170434.tif 000015
【図１５】
2014170434.tif 000016
【図１６】
2014170434.tif 000017
【図１７】
2014170434.tif 000018
【図１８】
2014170434.tif 000019
【図１９】
2014170434.tif 000020
【図２０】
2014170434.tif 000021
【図２１】
2014170434.tif 000022
【図２２】
2014170434.tif 000023
【図２３】
2014170434.tif 000024
【図２４】
2014170434.tif 000025
【図２５】
2014170434.tif 000026
【図２６】
2014170434.tif 000027
【図１１】
2014170434.tif 000028